(57)【特許請求の範囲】
【請求項１】
画面内にボタンを表示し、通常モードでは、操作されたボタンに応じて、表示中の画面から、下位階層の画面と上位階層の画面との何れか一方に、表示する画面を切り替える表示部と、
前記表示部の画面に対する操作を受け付け、前記表示部に表示されたボタンに対する操作を受け付けるためのタッチパネル部と、を含み、
前記タッチパネル部が予め定められた第１操作を受け付けたとき、
前記表示部は、透過遷移モードでの表示を開始し、前記透過遷移モードでは、現在表示中の画面を遷移元画面として、前記遷移元画面を時間の経過とともに次第に消して行き、前記遷移元画面よりもひとつ下の階層に位置する遷移先画面の表示割合を時間の経過とともに増やして、表示する画面を遷移させていく透過遷移表示を行い、前記遷移元画面の全透過により遷移が完了したとき、遷移が完了した前記遷移先画面を新たな前記遷移元画面とし、新たな前記遷移元画面に配された何れかのボタンに対応する画面であって、新たな前記遷移元画面よりもひとつ下の階層に位置する画面を新たな前記遷移先画面として、前記透過遷移表示を続け、前記遷移先画面への透過遷移表示中に前記タッチパネル部が予め定められた第２操作を受け付けたとき、前記遷移先画面への前記透過遷移表示を中止し、前記タッチパネル部が前記第２操作に続いて前記遷移元画面内のボタンを選択するための選択操作と、前記選択操作に続いて前記タッチパネル部が予め定められた確定操作を受け付けたとき、前記確定操作のときに選択されているボタンに対応する画面を前記遷移先画面として、前記透過遷移表示を再開することを特徴とする表示入力装置。
【請求項２】
前記表示部は、新たな前記遷移元画面から新たな前記遷移先画面に向けて、前記透過遷移表示を続けるとき、新たな前記遷移先画面への透過遷移表示中に前記タッチパネル部が前記第２操作を受け付けたとき、新たな前記遷移先画面への前記透過遷移表示を中止し、前記タッチパネル部が前記第２操作に続いて前記遷移元画面内のボタンを選択するための選択操作と、前記選択操作に続いて前記タッチパネル部が予め定められた確定操作を受け付けたとき、前記確定操作のときに選択されているボタンに対応する画面を新たな前記遷移先画面として、前記透過遷移表示を再開することを特徴とする請求項１記載の表示入力装置。
【請求項３】
前記タッチパネル部は、前記通常モードで、画面内に表示された何れかのボタンを長押しする操作を前記第１操作として受け付け、
前記表示部は、前記第１操作がなされた画面を最初の前記遷移元画面とし、前記第１操作がなされたボタンに対応する画面を最初の前記遷移先画面として、前記透過遷移表示を行い、
前記タッチパネル部は、前記第１操作から前記タッチパネル部へのタッチを継続しつつ新たに前記タッチパネル部に対しタッチを行う操作を前記第２操作として受け付け、前記第２操作による複数のタッチのうち、少なくとも１つを移動させる操作を前記選択操作として受け付け、前記タッチパネル部に対するタッチ数を減らす操作を前記確定操作として受け付けることを特徴とする請求項１又は２に記載の表示入力装置。
【請求項４】
前記表示部は、前記選択操作開始から前記確定操作までの間、選択されている状態のボタンに対して強調表示を行うとともに、強調表示を施すボタンの位置を予め定められた順番に、又は、前記選択操作での指の移動方向にあわせて移動させ、前記確定操作がなされた時点に前記強調表示されていたボタンに対応する画面を前記遷移先画面として前記透過遷移表示を再開することを特徴とする請求項１乃至３の何れか１項に記載の表示入力装置。
【請求項５】
前記表示部は、前記遷移元画面のうち、選択状態のボタンの色を選択されていないボタンと異ならせる、又は、選択状態のボタンに対して画像を付すことにより、前記強調表示を行うことを特徴とする請求項４に記載の表示入力装置。
【請求項６】
前記表示部は、下位階層に向けての前記透過遷移表示を行っているとき、又は、最下層の画面への遷移が完了した状態で、上位階層に戻る指示として予め定められた逆遷移操作を前記タッチパネル部が受け付けたとき、下位階層に遷移する前記透過遷移表示を停止し、下位階層に向けての前記透過遷移表示での画面の切替過程を遡って巻き戻し再生するように、上位階層に向けての前記透過遷移表示を行い、予め定められた再開操作を前記タッチパネル部が受け付けたとき、下位階層に向けての前記透過遷移表示を再開することを特徴とする請求項１乃至５の何れか１項に記載の表示入力装置。
【請求項７】
前記タッチパネル部が予め定められた終了操作を受け付けたとき、
前記表示部は、前記透過遷移モードを終了して通常のモードに戻り、前記第１操作が開始された画面を表示することを特徴とする請求項１乃至６の何れか１項に記載の表示入力装置。
【請求項８】
前記タッチパネル部が予め定められた終了操作を受け付けたとき、
前記表示部は、前記透過遷移表示を終了して通常のモードに戻り、現在の前記遷移元画面、又は、現在の前記遷移先画面を表示することを特徴とする請求項１乃至６の何れか１項に記載の表示入力装置。
【請求項９】
前記第２操作がなされないまま、下位階層に向けての前記遷移先画面への遷移が完了したとき、
前記表示部は、遷移が完了した画面を新たな前記遷移元画面とし、予め定められた画面遷移の経路を辿るように定められる新たな前記遷移先画面に向けて次の下位階層への前記透過遷移表示を自動的に行うか、遷移が完了した画面を前記遷移元画面とし、遷移が完了した画面中に配されたボタンのうち、予め定められた位置のボタンに対する前記第２操作がなされたものとして次の下位階層に向けての前記透過遷移表示を自動的に行うか、又は、階層的に最も深く、下位の画面に到ることができる経路を辿るように遷移が完了した画面を新たな前記遷移元画面として次の下位階層に向けての前記透過遷移表示を自動的に行うことを特徴とする請求項１乃至８の何れか１項に記載の表示入力装置。
【請求項１０】
請求項１乃至９の何れか１項に記載の表示入力装置を含むことを特徴とする画像形成装置。
【発明の詳細な説明】
【技術分野】
【０００１】
本発明は、表示部と、タッチパネルを含む表示入力装置に関する。又、この表示入力装置を備えた画像形成装置に関する。
【背景技術】
【０００２】
例えば、装置、機器には、各種設定入力のために、画面を介して入力を行う表示入力装置が取り付けられることがある。表示入力装置により設定や文字の入力が可能とされる。そして、携帯電話端末などでは、設けられるハードキーの数が限られ、１つのキーに複数の役割（意味合い）を割り当てる場合がある。そのため、現在の状態でキーに割り当てられた処理を知らないために、入力ミスが生ずる場合や、キーを押す回数が増える場合がある。このような操作性の低下を防ぐため、以下のような技術が特許文献１に記載されている。
【０００３】
具体的に、特許文献１には、キーの押下をそのキーに割り付けられた処理の実行指示として入力する入力手段、キーが継続的に押下される長押し状態を検出する長押し検出手段、長押し状態となったことが検出された場合、前記入力手段による入力を禁止するとともに、キーに割り付けられた処理をユーザーに対して報知する所定の報知動作を行う報知手段とを備えた入力装置が記載されている。この構成によれば、各キーに割り付けた処理をユーザーが容易に確認できるようにしようとする（特許文献１：請求項１、段落［００２１］等参照）。
【先行技術文献】
【特許文献】
【０００４】
【特許文献１】特開２００２−３１２１０５号公報
【発明の概要】
【発明が解決しようとする課題】
【０００５】
複写機、複合機、プリンター、ＦＡＸ装置のような画像形成装置には、表示入力装置が設けられることがある。表示入力装置は、「操作パネル」と称されることもある。画像形成装置の操作パネルは、設定項目を選択する画面や、設定値を設定するための画面を表示する。選択可能な設定項目や、設定可能な設定値は多数に及ぶので、画面は、複数（多数）の種類、用意される。
【０００６】
具体的に、使用者がある設定値を設定したい場合、まず、操作パネルには、階層上、最上位の画面が表示される。そして、画面上で設定項目（分類、カテゴリーともいえる）を選択するためのボタン（キー）を操作して（表示位置をタッチして）、次の階層（１つ下の階層）の画面を表示させる。更に必要であれば、選択した設定項目内に更に用意される設定項目のうち、いずれかを選択するためのボタンを操作する。このようなボタンの選択が、所望の画面に到達するまでに繰り返される。言い換えると、所望の画面に到達するには、ボタンへの操作を繰り返して、適切な経路を辿るように画面の階層を１つずつ下っていく操作が求められる。このように、操作パネルでの表示は、階層構造（ツリー状の構造）となっている。
【０００７】
従来、表示画面を切り替えるには、画面内のボタンを実際に操作する必要がある。言い換えると、ボタンの表示位置にタッチしなければ、画面の表示は切り替えられない。そのため、複数階層分、下位の画面を確認するには、複数回（移動する階層と同じ回数）、実際にボタンを押して（ボタンを操作して）画面を切り替えなければならない。そのため、下位の階層にどのような画面があるか容易に確認しづらいという問題がある。特に、１度の操作では、現在の画面よりも２以上の下位階層の画面を確認できず、複数のボタンに対して操作を繰り返さなくてはならない。また、切り替え後の画面が所望の画面でなければ、もとの画面に戻る操作をしなくてはならない。そのため、所望の画面に到達し、設定値を設定するには、多くの時間や操作が必要となる場合もある。
【０００８】
また、画像形成装置の設定を完了するには、１〜２階層よりも更に多くの階層を降りてゆかなくてはならない場合がある（例えば、システムに関する設定）。このような場合、画面の遷移（下位の階層方向への画面の切替）を繰り返す必要がある。また、目的とする画面の階層が深いため、なかなか所望の画面に至る経路を探し当てられず、誤った画面への遷移と、戻る操作を繰り返してしまう場合もある。このような場合、ボタンの操作回数はかなり多くなり、操作は煩雑なものとなる。また、画面切替と戻る操作の繰り返しにより、現在の階層がどの階層であるかわからなくなる場合があるという問題もある。
【０００９】
ここで、特許文献１記載の携帯電話端末は、長押ししたキーに割り当てられた機能（処理）を表示させる。しかし、割り当てられた機能を表示するのみで、どのような画面が表示されるか、実際にボタンを押さなければ確認することができない。また、表示画面の階層を遷移するには、その都度、ボタンに対する操作が必要であり、１度の操作で複数階層隔てた画面を確認することができない。また、誤ってキーを押す操作と、その後の戻る操作の繰り返しによって、現在の階層がどの階層であるかわからなくなる可能性もある。
【００１０】
本発明は、上記の問題点に鑑み、ボタン（キー）に対する簡単な１つの操作に基づき、複数画面分の遷移を可能とするとともに、遷移先の画面を選択可能として、どのような画面があるかを確認しやすくし、画面の表示における階層構造を容易に確認できるようにする。
【課題を解決するための手段】
【００１１】
上記課題解決のため請求項１に係る表示入力装置は、画面内にボタンを表示し、通常モードでは、操作されたボタンに応じて、表示中の画面から、下位階層の画面と上位階層の画面との何れか一方に、表示する画面を切り替える表示部と、前記表示部の画面に対する操作を受け付け、前記表示部に表示されたボタンに対する操作を受け付けるためのタッチパネル部と、を含み、前記タッチパネル部が予め定められた第１操作を受け付けたとき、前記表示部は、透過遷移モードでの表示を開始し、前記透過遷移モードでは、現在表示中の画面を遷移元画面として、前記遷移元画面を時間の経過とともに次第に消して行き、前記遷移元画面よりもひとつ下の階層に位置する遷移先画面の表示割合を時間の経過とともに増やして、表示する画面を遷移させていく透過遷移表示を行い、前記遷移元画面の全透過により遷移が完了したとき、遷移が完了した前記遷移先画面を新たな前記遷移元画面とし、新たな前記遷移元画面に配された何れかのボタンに対応する画面であって、新たな前記遷移元画面よりもひとつ下の階層に位置する画面を新たな前記遷移先画面として、前記透過遷移表示を続け、前記遷移先画面への透過遷移表示中に前記タッチパネル部が予め定められた第２操作を受け付けたとき、前記遷移先画面への前記透過遷移表示を中止し、前記タッチパネル部が前記第２操作に続いて前記遷移元画面内のボタンを選択するための選択操作と、前記選択操作に続いて前記タッチパネル部が予め定められた確定操作を受け付けたとき、前記確定操作のときに選択されているボタンに対応する画面を前記遷移先画面として、前記透過遷移表示を再開することとした。
【発明の効果】
【００１２】
本発明によれば、ボタン（キー）に対する簡単な１つの操作に基づき、複数画面分の遷移を可能とするとともに、表示させる下位階層の画面を選択可能とし、どのような画面が下位階層にあるかを確認しやすくし、画面の表示における階層構造を容易に確認できる表示入力装置を提供することができる。
【図面の簡単な説明】
【００１３】
【図１】実施形態に係る複合機の一例を示す図である。
【図２】実施形態に係る操作パネルの一例を示す図である。
【図３】実施形態に係る複合機のハードウェア構成の一例を示す図である。
【図４】実施形態に係る操作パネルの画面表示の階層構造の一例を示す図である。
【図５】実施形態に係る操作パネルで表示される画面の一例を示す図である。
【図６】実施形態に係る操作パネルで表示される画面の一例を示す図である。
【図７】実施形態に係る操作パネルで表示される画面の一例を示す図である。
【図８】実施形態に係る操作パネルで表示される画面の一例を示す図である。
【図９】実施形態に係る操作パネルで表示される画面の一例を示す図である。
【図１０】実施形態に係る操作パネルで表示される画面の一例を示す図である。
【図１１】実施形態に係る操作パネルで表示される画面の一例を示す図である。
【図１２】実施形態に係る操作パネルで表示される画面の一例を示す図である。
【図１３】実施形態に係る操作パネルでの透過遷移表示の一例を示す図である。
【図１４】実施形態に係る操作パネルでの複数の階層にわたる透過遷移表示の一例を示す図である。
【図１５】実施形態に係る操作パネルでの透過遷移表示の設定画面の一例を示す図である。
【図１６】実施形態に係る操作パネルでの第２操作と遷移の中止を説明するための図である。
【図１７】実施形態に係る操作パネルでの第２操作と遷移の中止を説明するための図である。
【図１８】実施形態に係る操作パネルでの選択操作を説明するための図である。
【図１９】実施形態に係る操作パネルでの選択操作を説明するための図である。
【図２０】実施形態に係る操作パネルでの確定操作と透過遷移表示の再開の一例を説明するための図である。
【図２１】実施形態に係る操作パネルでの確定操作と透過遷移表示の再開の一例を説明するための図である。
【図２２】実施形態に係る操作パネルでの途中での上位階層への遷移を説明するための図である。
【図２３】実施形態に係る操作パネルでの下位階層に向けての透過遷移表示の流れの一例を示すフローチャートである。
【図２４】実施形態に係る操作パネルでの上位階層に向けての透過遷移表示の流れの一例を示すフローチャートである。
【発明を実施するための形態】
【００１４】
本発明の実施形態を図１〜図２４を用いて説明する。ここで、本発明は、各種表示入力装置に適用可能であるが、複合機１００（画像形成装置に相当）に設けられた操作パネル１（表示入力装置に相当）を例に挙げ説明する。但し、本実施の形態に記載されている構成、配置等の各要素は、発明の範囲を限定せず、単なる説明例にすぎない。
【００１５】
（複合機１００の概略構成）
まず、図１に基づき、実施形態に係る複合機１００本体の概略を説明する。図１は、実施形態に係る複合機１００の一例を示す図である。
【００１６】
本実施形態の複合機１００は、上部に画像読取部２ａ、原稿搬送部２ｂ、操作パネル１等が設けられる（操作パネル１の詳細は後述）。原稿搬送部２ｂは、原稿載置トレイ２１に積載された原稿を１枚ずつ連続的に画像読取部２ａの読取位置（送り読取用コンタクトガラス２２）に向けて搬送する。又、原稿搬送部２ｂは、図１の紙面奥側に設けられた支点（不図示）により、手前側を振るようにして開閉可能である。例えば書籍等の原稿を載置読取用コンタクトガラス２３に載せ、原稿搬送部２ｂを閉じることで原稿を抑えることができる。画像読取部２ａは、送り読取用コンタクトガラス２２を通過する原稿、又は、載置読取用コンタクトガラス２３に載置された原稿を読み取り、画像データを生成する。生成された原稿の画像データは、コピーや送信などに用いられる。
【００１７】
また、複合機１００本体内部に、印刷部３が設けられる。印刷部３は、給紙部３ａ、搬送部３ｂ、画像形成部３ｃ、中間転写部３ｄ、定着部３ｅを含む。
【００１８】
給紙部３ａは、印刷に用いる用紙を収容、供給する。搬送部３ｂは、装置内で用紙を搬送する通路である。画像形成部３ｃは、各色（ブラック、イエロー、シアン、マゼンタ）の画像形成ユニット３１Ｂｋ、３１Ｙ、３１Ｃ、３１Ｍと画像形成ユニット３１Ｂｋ〜３１Ｍのそれぞれに設けられた感光体ドラムを露光する露光装置３２を含む。各画像形成ユニット３１Ｂｋ、３１Ｙ、３１Ｃ、３１Ｍと露光装置３２は、画像データに基づき、各色のトナー像を生成する。中間転写部３ｄは、生成されたトナー像を各画像形成ユニット３１Ｂｋ、３１Ｙ、３１Ｃ、３１Ｍからずれなく重畳しつつ１次転写を受け、給紙部３ａから供給された用紙にトナー像を２次転写する。定着部３ｅは、用紙に転写されたトナー像を定着させる。搬送部３ｂは、定着部３ｅを通過した用紙を排出トレイ３３に排出する。
【００１９】
（操作パネル１）
次に、図２を用いて、実施形態に係る操作パネル１の一例を説明する。図２は、実施形態に係る操作パネル１の一例を示す図である。
【００２０】
操作パネル１は、コピー等の印刷や原稿読取や画像データの送信の設定を行うための表示入力装置として機能する。そして、図１に示すように、複合機１００の正面上方に設けられる。そして、図２に示すように、操作パネル１は、表示部１１を含む。
【００２１】
表示部１１は、液晶表示パネルである。しかし、画面、画像を表示できるものであればよく、有機ＥＬ表示パネルのように、液晶パネル以外の表示パネルを用いてもよい。そして、表示部１１は、設定する設定項目（用いる機能）を選択するため画面や、設定値を設定するための画面を表示する。また、表示部１１は、設定項目の選択、設定値の設定、設定の完了、設定のキャンセル、ジョブの実行指示を行うためのボタン（キー）などの画像を各画面内に表示する。使用者は、表示部１１に表示されたボタンに対して操作を行う（ボタンの表示位置をタッチする）ことで、印刷、スキャン、送信など複合機１００で実行できるジョブやシステムに関する設定を行う。
【００２２】
又、表示部１１の上面には、タッチパネル部１２が設けられる。タッチパネル部１２はタッチされた位置、座標を検知するためのものである。尚、タッチパネル部１２には、複数点のタッチを検知できるものが用いられる（例えば、静電容量方式）。
【００２３】
又、操作パネル１には、以下のようなハードキーが設けられる。例えば、数字入力用のテンキー部１３や、各種設定後、コピー等の処理開始指示用のスタートキー１４が設けられる。又、コピー機能を利用する際に押されるコピーキー１５、スキャナ機能、ＦＡＸ機能のような送信機能を利用する際に押される送信キー１６のような機能を選択するためのキーも設けられる。また、部門管理やユーザー管理や通信設定など、複合機１００のシステム的な設定を行うときに押されるシステムメニューキー１７も設けられる。
【００２４】
（複合機１００のハードウェア構成）
次に、図３に基づき、実施形態に係る複合機１００のハードウェア構成を説明する。図３は、実施形態に係る複合機１００のハードウェア構成の一例を示す図である。
【００２５】
複合機１００内には、主制御部４が設けられる。主制御部４は、例えば、操作パネル１、画像読取部２ａ、原稿搬送部２ｂ、印刷部３（給紙部３ａ、搬送部３ｂ、画像形成部３ｃ、定着部３ｅ）などの制御を行う。
【００２６】
主制御部４は、例えば、ＣＰＵ４１等の処理、演算を行う素子を含む。ＣＰＵ４１は、記憶部４２に格納される制御プログラムに基づき演算等を行い、複合機１００の各部を制御する。尚、全体制御や画像処理を行う制御部と、画像形成や各種回転体を回転させるモータ等のＯＮ／ＯＦＦ等を行い、印刷を制御するエンジン制御部とを分割するなど、主制御部４は、機能ごとに分割されてもよい。
【００２７】
記憶部４２は、主制御部４と通信可能に接続される。記憶部４２は、ＲＯＭ、ＲＡＭ、ＨＤＤ等の不揮発性と揮発性の記憶装置を組み合わせて構成される。記憶部４２は、複合機１００の制御用プログラム、制御用データ、設定データ、画像データ等の各種データを記憶できる。
【００２８】
そして、主制御部４は、各種コネクタ、ソケットやＦＡＸモデム等を備えた通信部４３（通信インターフェイス）と通信可能に接続される。通信部４３はネットワークや公衆回線等により、複数の外部のコンピューター２００（例えば、パーソナルコンピューターやサーバー）やＦＡＸ装置３００（図７では、いずれも便宜上１つのみ図示）と通信可能に接続される。例えば、通信部４３を用いて、画像読取部２ａでの原稿読み取りで得られた画像データをコンピューター２００や相手方ＦＡＸ装置３００に送信することができる（スキャナ機能、ＦＡＸ機能）。又、通信部４３を用いて、コンピューター２００や相手方ＦＡＸ装置３００から送信され、複合機１００に入力される画像データに基づき印刷等を行うこともできる（プリンター機能、ＦＡＸ機能）。
【００２９】
又、例えば、主制御部４には、画像読取部２ａで原稿を読み取って得られた画像データや通信部４３を介して複合機１００に入力された画像データに対し、画像処理を施す画像処理部４４が設けられる。画像処理部４４が処理した画像データは、画像形成部３ｃに送信され印刷に用いられたり、記憶部４２に記憶されたり、通信部４３からコンピューター２００等に送信される。
【００３０】
又、主制御部４は、操作パネル１と通信可能に接続される。主制御部４は、操作パネル１になされた入力内容、設定内容を示す信号を操作パネル１から受信し、使用者の設定にあわせてコピーや送信のようなジョブが行われるように印刷部３、原稿搬送部２ｂ、画像読取部２ａ、通信部４３、記憶部４２などを制御する。
【００３１】
次に、本実施形態の操作パネル１について説明する。操作パネル１は、パネル制御部１０、メモリー１８、表示部１１、タッチパネル部１２、テンキー部１３、スタートキー１４、コピーキー１５、送信キー１６、システムメニューキー１７などを含む。
【００３２】
パネル制御部１０は、ＣＰＵやＩＣや表示部１１のパネルのドライバ回路などを含む。パネル制御部１０は、表示部１１の表示を制御する。又、パネル制御部１０は、タッチパネル部１２の出力を受け、表示部１１（タッチパネル部１２）で押された（タッチされた）位置の座標を認識する。タッチパネル部１２の出力と座標の対応を示すテーブル等のデータは、メモリー１８に記憶される。パネル制御部１０は、押された位置の座標と、表示部１１に表示されている画面の画像データを比較して、画面上で操作された（押された）ボタンを特定、認識する。又、パネル制御部１０は、ハードキーからの信号を受け、いずれのハードキーが押されたかを認識する。
【００３３】
また、メモリー１８には、タッチパネル部１２（各画面に配されるボタン）や、ハードキーへの操作に応じて、各画面を表示するため画面用データＤ１が記憶される。画面用データＤ１は、画面ごとに、画面の背景データや、枠組みの画像データや、画面に表示するボタンやメッセージ、説明文などのデータ（画像データやテキストデータや表示位置の定義データ）など、表示に要する各種データを含む。パネル制御部１０は、操作に応じ、画面データのうち、次に表示する画面の表示に要するデータを読み出し、表示部１１に画面を切り替えさせる。
【００３４】
（画面表示の階層構造）
次に、図４を用いて、本実施形態に係る操作パネル１での画面表示の階層構造について説明する。図４は、実施形態に係る操作パネル１の画面表示の階層構造の一例を示す図である。
【００３５】
本実施形態の操作パネル１では、画面表示は階層的な構造となっている。システムメニューキー１７、コピーキー１５、送信キー１６などのキーを押すと、機能ごとにそれぞれ用意されたメインメニュー画面が表示される（図５参照。図５はシステムメニューキー１７に対応するシステム設定に関するメインメニュー画面５１）。例えば、コピーはコピー、送信は送信、システム設定はシステム設定のメインメニュー画面が用意される。各メインメニュー画面は、図４での第１階層（最上位階層）に相当する。
【００３６】
パネル制御部１０は、画面に表示されたボタンが操作されると、上位階層の画面から操作されたボタンに対応する下位階層の画面を表示部１１に表示させる。また、画面内には、例えば、戻るボタンＢ１４のような、上位階層に戻るためのボタンが配される。パネル制御部１０は、上位階層に戻るためのボタンが操作されると、現在表示している画面のひとつ上の階層の画面を表示部１１に表示させる。
【００３７】
そして、図４において、目印として枠で囲った画面（画面Ｃ３、画面Ｄ２、画面Ｅ２〜Ｅ４など）は、遷移の経路上の最下位の階層である。言い換えると、目印として枠で囲った画面は、その経路では、更に下位の階層がなく終点の画面にあたる。最下位の階層の画面は、例えば、設定値を選ぶなどして、設定を行うための画面である。図４に示すように、設定値を設定するための画面は同じ階層とは限らず、最下位の階層が何階層目に当たるかは、経路により異なる。そのため、設定値を設定するための画面の種類により、その画面に到達するまでにボタンを操作する回数が異なる。
【００３８】
このような階層構造を有しているので、使用者は、目的とする画面に到達するには、第１階層（最上位の階層）から目的とする画面（所望の画面）に到るまでの経路を辿るように、ボタンを複数回操作する。
【００３９】
（通常の画面切り替え操作）
本実施形態の操作パネル１では、透過遷移モードとし、１つの操作で連続的な画面遷移を行わせることができる。しかし、まず、図５〜図１０を用いて、通常の（通常モードでの）画面切り替え操作（画面遷移）を説明する。図５〜図１２は、実施形態に係る操作パネル１で表示される画面の一例を示す図である。
【００４０】
本説明では、複合機１００のシステムに関する設定を行う場合を例に挙げて説明する。具体的に、操作パネル１でシステムメニューキー１７（図２参照）を押して、ユーザー管理に関する設定を行う場合について説明する。他の設定（経路）についても同様であるが、説明を割愛する。
【００４１】
図５は、システムメニューキー１７を押すと表示されるメインメニュー画面５１の一例を示す。パネル制御部１０は、システムメニューキー１７が押されると、メインメニュー画面５１を表示部１１に表示させる。メインメニュー画面５１は、システムの設定に関する画面のうち、最上位階層の画面である。
【００４２】
本説明では、システムメニューキー１７（図２参照）を押して、複合機１００のシステムに関する設定を行う場合を例に挙げて説明する。具体的に、操作パネル１でユーザー管理に関する設定を行う場合について説明する。
【００４３】
図５は、システムメニューキー１７を押すと表示されるメインメニュー画面５１の一例を示す。システムメニューキー１７が押されたとき、パネル制御部１０は、メインメニュー画面５１を表示部１１に表示させる。メインメニュー画面５１は、システムの設定に関する画面のうち、最上位階層の画面である。そして、通常モードでは、使用者は、目的の画面に到達するようにボタンへの操作を繰り返す。具体的に、通常モードでは、パネル制御部１０は、ユーザー管理ボタンＢ１（「ユーザー管理」の文字列を含むボタン）の操作（表示位置へのタッチ）がなされ、透過遷移モード（詳細は後述）で表示を行うための第１操作（長押し）がなされることなく、指を離す操作がなされると、表示部１１に画面を直ちに（一時に）切り替えさせる。
【００４４】
メインメニュー画面５１には、複数のボタンが配される。メインメニュー画面５１に配されるボタンは、設定項目の大きな分類を示す。ユーザー管理に関する設定を行うとき、使用者は、ユーザー管理ボタンＢ１を操作する（表示位置をタッチする。以下、同様。）。尚、メインメニュー画面５１内のユーザー管理ボタンＢ１以外のボタンを操作すると、対応する画面（例えば、メンテナンスや言語設定など多様なシステム設定に関する画面）が表示されるが、詳細については、説明を割愛する。
【００４５】
図６に示すように、ユーザー管理ボタンＢ１が操作されると、パネル制御部１０は、１つ下の階層にあたるユーザー管理画面５２を表示部１１に表示させる。ユーザー管理画面５２には、認証方式ボタンＢ２（「ユーザー管理」の文字列に付随、対応し、「変更」の文字列を含むボタン）と、ユーザーリストボタンＢ３（「ローカルユーザーリスト」の文字列に付随、対応し、「登録・編集」の文字列を含むボタン）と、ローカル認可ボタンＢ４（「ローカル認可」の文字列に付随、対応し、「変更」の文字列を含むボタン）と、ゲスト認可ボタンＢ５（「ゲスト認可設定」の文字列に付随、対応し、「変更」の文字列を含むボタン）が表示される。認証方式ボタンＢ２は、ローカル認証（複合機１００に記憶された使用者情報に基づく認証）を行うか、ネットワーク認証（ネットワーク経由でサーバーに記憶された使用者情報に基づく認証）を行うかを設定するための画面を表示させるボタンである。ユーザーリストボタンＢ３は、複合機１００の使用許可を与える使用者を登録、編集するためのボタンである。ローカル認可ボタンＢ４は、ユーザー単位で、使用できる機能（例えば、コピーやスキャンや送信などの機能）を制限、解除するための画面を表示させるボタンである。ゲスト認可ボタンＢ５は、本来、複合機１００やサーバーに登録されていないため、認証を受けられず複合機１００を使用できない者（ゲスト）に対する設定を行うための画面を表示させるためのボタンである。
【００４６】
ユーザー管理画面５２でゲスト認可ボタンＢ５が操作されると、図７に示すように、パネル制御部１０は、１つ下の階層にあたるゲスト認可設定画面５３を表示部１１に表示させる。尚、ユーザー管理画面５２で、ゲスト認可ボタンＢ５以外のボタンが押されると対応する画面か表示されるが、詳細については、説明を割愛する。
【００４７】
ゲスト認可設定画面５３には、ゲスト認可可否ボタンＢ６（「ゲスト認可」の文字列に付随、対応し、「変更」の文字列を含むボタン）と、ゲストプロパティボタンＢ７（「ゲストプロパティ」の文字列に付随、対応し、「変更」の文字列を含むボタン）が表示される。ゲスト認可可否ボタンＢ６は、ゲストに一時的に複合機１００の使用を認めるか否かを設定するための画面を表示させるボタンである。ゲストプロパティボタンＢ７は、ゲストの情報（ゲストのプロパティ）を設定するための画面を表示させるボタンである。
【００４８】
ゲスト認可設定画面５３でゲストプロパティボタンＢ７が操作されると、図８に示すように、パネル制御部１０は、１つ下の階層にあたるゲストプロパティ設定画面５４を表示部１１に表示させる。尚、ゲスト認可設定画面５３で、ゲストプロパティボタンＢ７以外のボタンが押されたとき、対応する画面か表示されるが、詳細については、説明を割愛する。
【００４９】
ゲストプロパティ設定画面５４には、ゲストを使用者と扱う場合における情報を設定するためのボタンが計８個配される。ゲストプロパティ設定画面５４に配された何れかのボタンをタッチすることで、図８に示すように、ユーザー名（＝ゲスト名）、ゲストとしてログインするためのログイン名、ゲストとしてログインするためのパスワードなどを設定することができる。文字列の入力の必要な設定項目（例えば、ユーザー名＝ゲスト名など）に対応するボタンが操作されると、パネル制御部１０は、文字列入力用のソフトウェアキーボード（不図示）を表示させる。また、ゲストプロパティ設定画面５４に配されるボタンのうち、認可情報ボタンＢ８（「認可情報」の文字列に付随、対応し、「変更」の文字列を含むボタン）は、複合機１００の機能（コピーや送信など）のうち、ゲストが利用できる機能の制限や、ゲストが利用できる機能を変更するための画面を表示させるボタンである。
【００５０】
ゲストプロパティ設定画面５４で認可情報ボタンＢ８が操作されると、図９に示すように、パネル制御部１０は、１つ下の階層にあたる使用制限設定画面５５を表示部１１に表示させる。尚、ゲストプロパティ設定画面５４で、認可情報ボタンＢ８以外のボタンが押されたとき、対応する画面か表示されるが、詳細については、説明を割愛する。
【００５１】
使用制限設定画面５５には、ゲストが使用できる機能を制限するためのボタンが計９個配される。使用制限設定画面５５に配されたボタンを操作して、使用者がゲストであるときに使用できる機能を定めることができる。
【００５２】
例えば、印刷に関し、ゲストが、複合機１００をコピー機や、プリンターとして利用できるか否かや、カラー印刷できるか否かを設定できる。また、送信に関し、ゲストが、画像読取部２ａが読み取った画像データを、外部メモリー（例えば、複合機１００に接続可能とされるＵＳＢメモリーなど）や、記憶部４２に記憶させることを認めるか否かの設定や、ネットワークやＦＡＸによる送信を認めるか否かの設定を行うことができる。そして、使用制限設定画面５５に配されるボタンのうち、送信制限ボタンＢ９（「送信制限」の文字列に付随、対応し、「変更」の文字列を含むボタン）は、ゲストが、複合機１００の機能のうち、ネットワークのコンピューター２００や記憶装置に、画像データを送信（ファクシミリ送信を除く）する機能を利用できるか否かを設定するための画面を表示させるボタンである。
【００５３】
使用制限設定画面５５で送信制限ボタンＢ９が操作されると、図１０に示すように、パネル制御部１０は、１つ下の階層にあたる送信制限設定画面５６を表示部１１に表示させる。尚、使用制限設定画面５５で、送信制限ボタンＢ９以外のボタンが押されたとき、操作されたボタンに対応する画面が表示されるが、詳細については、説明を割愛する。
【００５４】
送信制限設定画面５６は、設定値を設定するための画面であり、階層的に最下層の画面である。送信制限設定画面５６では、「ゲストに送信を認める」という設定値と、「ゲストに送信を認めない」という設定値のうち、何れかを選択することができる。
【００５５】
具体的に、送信制限設定画面５６には、送信制限を実行させるための制限実行ボタンＢ１０（「設定する」の文字列を含むボタン）と、送信制限をかけないようにするための制限不実行ボタンＢ１１（「設定しない」の文字列を含むボタン）が表示される。パネル制御部１０は、制限実行ボタンＢ１０が操作され、ＯＫボタンＢ１２（「ＯＫ」の文字列を含むボタン）が操作されると、送信制限を行う設定がなされたと認識する。パネル制御部１０は、主制御部４に設定内容を伝達する。その結果、主制御部４は、通信部４３を制御し、ゲストに画像データを複合機１００から送信できなくする。あるいは、パネル制御部１０は、ゲストによる送信実行指示を受け付けず、無視する。一方、パネル制御部１０は、制限不実行ボタンＢ１１が操作され、ＯＫボタンＢ１２が操作されると、送信制限を行わない設定がなされたと認識する。この設定がなされている場合、パネル制御部１０はゲストによる送信ジョブの設定を受け付け、設定内容を主制御部４に伝達する。主制御部４は、伝達された設定内容に即して、通信部４３や画像読取部２ａを制御し、送信ジョブを実行させる。
【００５６】
ここで、最下位の階層の画面（設定値を設定する画面）には、ＯＫボタンＢ１２が配される。また、図１０の画面以外の画面でも、設定値を設定する画面には、ＯＫボタンＢ１２が配される場合がある。ＯＫボタンＢ１２に対する操作がなされ、設定値の設定が完了すると、パネル制御部１０は、画面を最上位階層の画面に切り替える（基本画面、メインメニュー画面に戻す）。
【００５７】
また、各画面には、設定をキャンセルするためのキャンセルボタンＢ１３（「キャンセル」の文字列を含むボタン）も配される。キャンセルボタンＢ１３に対する操作がなされると、パネル制御部１０は、現在の設定値を変更せず、また、画面を最上位階層の画面（メインメニュー画面５１）を表示部１１に表示させる。また、最上位階層以外の画面には、戻るボタンＢ１４（「戻る」の文字列を含むボタン）が配される。戻るボタンＢ１４に対する操作がなされると、パネル制御部１０は、画面を現在の画面からひとつ上の階層の画面を表示部１１に表示させる（経路を戻らせる）。
【００５８】
このように、表示部１１は、画面内にボタンを表示し、表示部１１に表示されたボタンに対する操作を受け付けるためのタッチパネル部１２の出力に基づき、表示中の画面から下位階層の画面と、上位階層の画面の何れか一方に、表示する画面を切り替える。
【００５９】
また、後の説明の観点から、上述のユーザー管理画面５２（図６参照）で、ユーザーリストボタンＢ３（「ローカルユーザーリスト」の文字列に付随、対応し、「登録・編集」の文字列を含むボタン）を操作したときに表示される画面（ユーザーリストボタンＢ３を操作したときの経路の各画面）を説明しておく。また、ゲスト認可設定画面５３（図７参照）で、ゲスト認可可否ボタンＢ６（「ゲスト認可」の文字列に付随、対応し、「変更」の文字列を含むボタン）を操作したときに表示される画面（ゲスト認可可否ボタンＢ６を操作したときの経路の画面）についても説明しておく。
【００６０】
ユーザー管理画面５２でユーザーリストボタンＢ３が操作されると、図１１に示すように、パネル制御部１０は、１つ下の階層にあたる登録・編集画面５７を表示部１１に表示させる。登録・編集画面５７は、ユーザーの登録や、登録内容の変更を行うための画面である。
【００６１】
登録・編集画面５７には、新規登録ボタンＢ１５（「新規登録」の文字列に付随、対応し、「登録」の文字列を含むボタン）と、編集ボタンＢ１６（「編集」の文字列に付随、対応し、「編集」の文字列を含むボタン）が表示される。新規登録ボタンＢ１５は、複合機１００を使用可能な者（ユーザー）を複合機１００（記憶部４２）に新たに登録するための画面を表示させるボタンである。編集ボタンＢ１６は、使用可能な者として既に複合機１００（記憶部４２）に記憶されているユーザーの情報（ユーザーのプロパティ）を編集（変更、修正）するための画面を表示させるボタンである。
【００６２】
登録・編集画面５７で編集ボタンＢ１６が操作されると、パネル制御部１０は、１つ下の階層にあたるユーザープロパティ設定画面（不図示）を表示部１１に表示させる。尚、ユーザープロパティ設定画面は、図８に示すゲストプロパティ設定画面５４と近似する。ソフトウェアキーボードにより文字、数字、記号の入力を行って、ゲストプロパティ設定画面５４と同様の項目について、使用者の情報の設定を行うことができる。例えば、ユーザープロパティ設定画面では、ユーザー名、ログインするためのログイン名、ユーザーがログインするためのパスワードなどを設定、変更することができる。
【００６３】
尚、登録・編集画面５７で、新規登録ボタンＢ１５が操作されたときにも、ユーザープロパティ設定画面が表示される。編集ボタンＢ１６が操作されたとき、パネル制御部１０は、以前に入力され、メモリー１８が記憶する内容をユーザープロパティ設定画面内に表示させる。一方、新規登録ボタンＢ１５が操作されたときには、パネル制御部１０は、なんら入力がなされていない真っ新な状態のユーザープロパティ設定画面を表示させる。尚、ユーザープロパティ設定画面よりも更に下の階層にも画面が存在するが、詳細な説明は割愛する。
【００６４】
一方、ゲスト認可設定画面５３でゲスト認可可否ボタンＢ６（「ゲスト認可」の文字列に付随、対応し、「変更」の文字列を含むボタン）が操作されると、図１２に示すように、パネル制御部１０は、１つ下の階層にあたるゲスト認可可否設定画面５８を表示部１１に表示させる。ゲスト認可可否設定画面５８は、ゲストによる使用を認めるか否かの設定を行うための画面である。言い換えると、ゲスト認可可否設定画面５８は、予め登録されたユーザーのみ、複合機１００の使用を認めるか否かを設定するための画面である。
【００６５】
ゲスト認可可否設定画面５８には、認可ボタンＢ１７（「認可する」の文字列を含むボタン）と、不認可ボタンＢ１８（「認可しない」の文字列を含むボタン）が表示される。認可ボタンＢ１７は、ゲスト（複合機１００に登録されていない使用者）に一時的に複合機１００の使用を認めるとき操作される。不認可ボタンＢ１８は、ゲストに一時的に複合機１００の使用を認めないとき操作される。
【００６６】
ゲスト認可可否設定画面５８で認可ボタンＢ１７が操作され、更に、ＯＫボタンＢ１２が操作されると、パネル制御部１０は、ゲストによる使用を認める状態となる。具体的に、ログアウト状態で表示されるログイン用画面（不図示）で、正しいゲスト名、ゲスト用のパスワードが入力されると、ログイン状態となり、タッチパネル部１２やハードキーを介したゲストによる設定を受け付ける（尚、ログイン状態は一定時間の放置やジョブ完了などで解除され、操作パネル１、複合機１００はログアウト状態となる）。
【００６７】
一方、ゲスト認可可否設定画面５８で不認可ボタンＢ１８が操作され、更に、ＯＫボタンＢ１２が操作されると、パネル制御部１０は、ゲストによる使用を認めない状態となる。具体的に、ログアウト状態で表示されるログイン用画面（不図示）で、何らかのゲスト名や、ゲスト用のパスワードが入力されても、ログイン状態とはならず、操作パネル１は、ジョブの設定やジョブの実行指示を受け付けない状態を保つ。
【００６８】
（透過遷移表示の概要）
次に、図１３、図１４を用いて、本実施形態の操作パネル１の透過遷移表示の概要を説明する。図１３は、実施形態に係る操作パネル１での透過遷移表示の一例を示す図である。
【００６９】
タッチパネル部１２は、透過遷移表示を行う指示（透過遷移モードに移行する指示）として予め定められた第１操作を受け付ける。タッチパネル部１２が第１操作を受け付けたとき、パネル制御部１０は、表示部１１のモードを下位階層に向けての透過遷移モードとする。ここで、パネル制御部１０は、下位階層に向けての透過遷移表示では、現在表示中の画面である遷移元画面を時間の経過とともに次第に消して行き、遷移元画面よりもひとつ下の階層に位置する遷移先画面を、時間の経過とともに表示される割合を増やして、表示する画面を遷移させていく（切り替える）表示を表示部１１に行わせる。言い換えると、パネル制御部１０は、下位階層に向けて透過遷移表示を行うとき、上位階層の画面を次第に消して行き、下位階層の画面が次第に現れるように、表示部１１に表示を行わせる。
【００７０】
尚、詳細は後述するが、全ての指をタッチパネル部１２から離すような予め定められた終了操作を行うことにより、透過遷移モードを終了させることができる。言い換えると、第１操作の後、タッチパネル部１２へのタッチが続けられるなど、終了操作がなされるまでの間、透過遷移モードが維持される。
【００７１】
具体的に、図１３を用いて説明する。図１３は、ユーザー管理画面５２（図６参照）を最初の遷移元画面とし、ゲスト認可設定画面５３（図７参照）を最初の遷移先画面として、ユーザー管理画面５２からゲスト認可設定画面５３に透過遷移表示を行うときの透過遷移表示の一例を示している。
【００７２】
ここで、まず、第１操作を説明しておく。どのような操作を第１操作とするかは、適宜定めることができる。本実施形態のタッチパネル部１２は、通常モードの状態で、画面内に表示された何れかのボタンの表示位置を長押しする操作を第１操作として受け付ける。尚、画面内に配された何れかのボタンに対し２点タッチする操作や、ボタンの長手方向にそって、ボタン内の領域を横切るようにタッチ位置を移動させる操作など、他種のボタンに対する操作を第１操作として受け付けるようにしてもよい。
【００７３】
そして、タッチパネル部１２の出力に基づき、パネル制御部１０は、通常モードで、何れかのボタンに対する長押し操作（第１操作）を、透過遷移表示を行う指示入力（透過遷移モードへの移行指示）と認識する。尚、透過遷移モードの終了（通常モードへの復帰）への詳細については後述する。
【００７４】
具体的に、パネル制御部１０は、タッチパネル部１２の出力に基づき、ボタンの表示位置がタッチされてから、予め定められた長押し時間（例えば、０．５〜数秒程度）継続して、同じボタンの表示領域内がタッチされ続けているとき、長押し（第１操作）がなされたと認識する。この認識をトリガーとして、パネル制御部１０は、透過遷移表示を表示部１１に開始させる。透過遷移表示の最初の遷移元画面は、第１操作がなされたボタンが配された画面である（図１３の例では、最上段の画面）。
【００７５】
尚、長押しを続けていると、長押し位置からタッチ位置がずれてしまうことがある。また、手のけがなどや、先天的に、同じ位置を押し続けることが難しい使用者もいる。そこで、パネル制御部１０は、タッチパネル部１２の出力に基づいてタッチ位置がずれたと認識しても、ずれた距離が予め定められた許容範囲であれば、タッチ（第１操作）が続けられていると認識するようにしてもよい。
【００７６】
第１操作がなされ、透過遷移モードへの移行により透過遷移表示が開始されると、パネル制御部１０は、予め定められた所要時間をかけて、遷移元画面（上位階層の画面）の画素を、段階的に（次第に）遷移先画面（下位階層の画面）に置き換えていく。
【００７７】
具体的に、パネル制御部１０は、最初の（１回目の）透過遷移表示では、第１操作がなされた画面を遷移元画面とし、通常の操作で（通常のモードで）第１操作を行ったボタンを操作すると表示される画面（対応する画面）を遷移先画面として、透過遷移表示を表示部１１に行わせる。具体的に、図１３では、ユーザー管理画面５２でゲスト認可ボタンＢ５（「ゲスト認可設定」の文字列に付随、対応し、「変更」の文字列を含むボタン）に対する長押し操作（第１操作）がなされたことにより、パネル制御部１０は、１回目の透過遷移では、ユーザー管理画面５２でゲスト認可ボタンＢ５を操作すると表示されるゲスト認可設定画面５３に遷移表示する（切り替える）例を示している。
【００７８】
パネル制御部１０は、透過遷移表示では、例えば、周期的に（一定間隔で）、遷移元画面の画素の一部を、遷移元画面の画素に置き換える処理を所定回数にわたって繰り返し、段階的に遷移元画面に重なるように（浮いてくるように）遷移先画面を表示させてゆき、最終的に遷移元画面への切り替え（遷移元画面の１００％の透過）を完了させる。言い換えると、パネル制御部１０は、遷移の開始時点から、一定周期で、遷移元画面内の画素を一定数、遷移先画面の画素に置き換える処理を所定回数、遷移先画面の画素に全て置き換えられるまで繰り返す。尚、所定回数（遷移開始から完了までのステップ数）は、適宜定めることができる（例えば、十数回〜１００回など）。
【００７９】
一定数の画素の置き換えを所定回数、繰り返すことで、遷移元画面が段階的に（次第に）消えて行き、遷移先画面が段階的に（次第に）現れるような透過的な（アニメーション的な）表示する画面の切替を行うことができる（図１３の中段の図参照）。尚、この置き換え処理と次の置き換え処理の間隔（画素の置き換え処理の周期）は、タッチパネル部１２に対する入力によって、予め定めることができる。あるいは、遷移元画面から遷移先画面への透過開始から完了までの所要時間をタッチパネル部１２への入力によって、予め定めておくことができる。この場合、パネル制御部１０は、所要時間を予め定められた置き換え回数で除すことにより、置き換え処理の間隔を求め、透過遷移モードでは、求めた間隔に基づき、画素の置き換え処理を行う。
【００８０】
尚、透過遷移表示は、上記のような遷移パターンに限らず、他の表現手法により画面の表示が遷移元画面から遷移先画面に次第に変化してもよい。例えば、パネル制御部１０は、遷移元画面の濃度を一定間隔で薄くしてゆき、遷移元画面の濃度を一定間隔で濃くしていくことにより、遷移元画面が段階的に消えて行き、遷移先画面が段階的に現れるような表示画面の切替を表示部１１に行わせてもよい。また、表示部１１の上下左右の何れかの一辺から対辺に向けて、遷移元画面の画素をライン単位で、次第に遷移先画面の画素に置き換えるようにしてもよい（一部透過的な表現）。あるいは、表示部１１の何れかの辺から遷移先画面がスライドするように現れるようにしてもよい。
【００８１】
このように、一定間隔ごとに遷移元画面から遷移先画面の画素に置き換える画素の数や位置を工夫することで、様々な透過効果を表現することができる。このような透過遷移表示を行うためのプログラムは、透過遷移表示用プログラムＤ２として、メモリー１８に記憶される（図３参照）。パネル制御部１０は、透過遷移表示用プログラムＤ２と遷移元画面と遷移先画面の画像データに基づき、表示部１１の表示を変化させる。
【００８２】
まとめると、パネル制御部１０は、予め定められた所要時間（例えば、１〜３秒程度。適宜定めることができる。）をかけて、ある遷移元画面から、ある遷移元画面の１つ下の階層にあたる遷移先画面への透過遷移を表示部１１に行わせる。
【００８３】
尚、図１３の中段の図に示すように、画面の遷移中であることをより明確に示すため、パネル制御部１０は、遷移元画面から遷移先画面への遷移中、薄い色を付す表示や、網掛け表示を画面全体に対して施すように表示部１１に表示させてもよい。そして、遷移元画面から遷移先画面への画面中の全ての画素の置き換えを完了すると、パネル制御部１０は、薄い色を付す表示や、網掛け表示を画面全体に対して施す表示を停止させる。
【００８４】
（自動的な透過遷移表示の繰り返し）
次に、図１４、図１５を用いて、本実施形態の操作パネル１で、透過遷移表示中に、第２操作（使用者が次の遷移先画面を選択するための操作）がなされないときの透過遷移表示の自動的な繰り返しを説明する。図１４は、実施形態に係る操作パネル１での複数の階層にわたる透過遷移表示の一例を示す図である。図１５は、実施形態に係る操作パネル１での透過遷移表示の設定画面の一例を示す図である。
【００８５】
本実施形態の複合機１００では、透過遷移モードで、画面の遷移を行うとき、遷移元画面から遷移先画面に遷移中、第２操作（詳細は後述）を行うことにより、遷移先画面（次に遷移する画面）を選択することができる（詳細は後述）。
【００８６】
一方、遷移元画面から遷移先画面に遷移中、第２操作が無い場合、パネル制御部１０は、自動的に次の（新たな）遷移先画面を選択し、最下層の画面まで、自動的な透過遷移表示を表示部１１に続けさせる（繰り返させる）。
【００８７】
そこで、図１４、図１５を用いて、第２操作による次の遷移先画面の選択を説明する前に、第２操作がなされないときの自動的な遷移先画面（遷移の経路）の選択と、透過遷移表示の自動的な繰り返しについて、以下、説明しておく。
【００８８】
本実施形態の操作パネル１では、透過遷移モードで、タッチパネル部１２へのタッチ（１点タッチ）は続けられていて（第１操作により始まったタッチパネル部１２へのタッチが続いており）、更に、第２操作がなされなかったとき、パネル制御部１０は、遷移が完了した遷移先画面を新たな遷移元画面とし、新たな遷移元画面よりもひとつ下の階層に位置する画面のうちいずれかの画面を選択する。そして、パネル制御部１０は、選択した画面を新たな遷移先画面として、下位階層に向けて、次の透過遷移表示を表示部１１に行わせる（透過遷移表示を自動的に続けさせる）。言い換えると、自動的に、次の階層に向けての透過遷移表示が開始される。
【００８９】
図１４は、パネル制御部１０が、遷移が完了した遷移先画面を新たな遷移元画面とし、遷移が完了した画面に対し１つ下の階層の画面を新たな遷移先画面として選択し、透過遷移表示を表示部１１に続けさせる（繰り返させる）場合の遷移の流れの一例を示している。
【００９０】
これにより、第１操作を行った後、タッチを続けるだけで、下位階層方向に向けての透過遷移表示が繰り返され、２画面以上、画面を自動的に切り替えることができる。従って、第１操作の後、タッチを続ければ、最下位の階層に向けてのある経路上に、どのような画面があるかを確認することができる。
【００９１】
例えば、ユーザー管理画面５２で第１操作がなされ、第２操作（次の遷移先画面の選択操作）がなされることなくタッチが続けられたとき、パネル制御部１０は、ユーザー管理画面５２→ゲスト認可設定画面５３→ゲストプロパティ設定画面５４→使用制限設定画面５５→送信制限設定画面５６の順に表示部１１に画面を切り替えさせる。そして、パネル制御部１０は、これらの各画面間の切替では、透過遷移表示を表示部１１に行わせる（図１４参照）。
【００９２】
このように、遷移中に第２操作がなされないとき、パネル制御部１０は、自動的に、次の遷移先画面を定めて（下位階層に向けての透過遷移の経路を定め）、表示部１１に透過遷移表示を続けさせる。
【００９３】
第２操作がなされない場合の自動的な経路選定において、どのような経路を辿って下位階層に遷移していくかを定める必要がある。言い換えると、第２操作がなされず、自動的に経路を定め、遷移元画面と遷移先画面を切り替えて透過遷移表示を続けるとき、何れのボタンが操作されたときに表示される画面を新たな遷移先画面とするかを定める必要がある。
【００９４】
ここで、以下のように、２画面以上にわたる透過遷移表示の繰り返しで辿る経路を定めることができる。例えば、パネル制御部１０は、予め定められた画面遷移の経路を辿るように、次の遷移先画面を選択し、複数画面にわたる透過遷移表示を表示部１１に行わせるようにしてもよい。この場合、メモリー１８に、画面内に配されるボタン単位で、どのボタンに対し第１操作をおこなうと、どのような経路で画面を切り替えていくかを定義した経路データＤ３（図３参照）が記憶される。
【００９５】
また、パネル制御部１０は、画面中に配されたボタンのうち、予め定められた位置のボタンが操作されたものとして複数画面にわたる透過遷移表示を表示部１１に行わせるようにしてもよい。この場合、メモリー１８に、画面内に配されるボタンのうち、どの位置のボタンを操作したと扱うかを定義した経路データＤ３（図３参照）が記憶される。尚、図１４は、表示されていく画面中に配されたボタンのうち、最も右下位置（右側かつ下側）に位置するボタンが操作されたときに表示される画面を次の（新たな）遷移先画面として、遷移の経路を定める例を示している。
【００９６】
また、パネル制御部１０は、階層的に最も深い階層の画面に到ることができる経路を辿るように複数画面にわたる透過遷移表示を行うようにしてもよい。言い換えると、透過遷移表示をくりかえすことで、切り替えられる画面数が最も多くなるように、経路を定めるようにしてもよい。この場合、ボタンごとに、階層的に最も深い階層の画面に到ることができる経路を定めたデータが経路データＤ３としてメモリー１８に記憶される（図３参照）。
【００９７】
パネル制御部１０は、第１操作の後、タッチパネル部１２へのタッチが続けられている間（第１操作後のタッチが継続している間）、第２操作が行われないとき、経路データＤ３に基づき、遷移先画面への透過による遷移の完了にあわせ、新たな遷移先画面を選択し、下位階層の画面に向けての透過遷移表示を表示部１１に繰り返させる。これにより、複数画面にわたって、自動的な画面切り替えがなされる。
【００９８】
尚、最下位の階層（例えば、設定値を設定するための画面）への透過遷移表示が完了すると、その画面よりも下の階層の画面は存在しないので、パネル制御部１０は、透過遷移モードの終了（通常モードへの復帰）、又は、上位階層に向けての透過遷移表示の実行指示（逆遷移操作）がない限り、最下位の階層の画面を表示部１１に表示させ続ける。
【００９９】
上記の何れかの手法により、自動的な画面遷移での経路を定めるようにすればよい。しかし、図１５に示すように、自動的な透過遷移表示を繰り返しのときに辿る経路を予め設定できるようにしてもよい。
【０１００】
図１５は、第２操作がなされないときの画面遷移の経路の設定に関する透過遷移設定画面５９の一例を示す。透過遷移設定画面５９は、操作パネル１に対して所定の操作を行うことにより表示させることができる。そして、透過遷移設定画面５９には、第１ボタンＢ１９（「定められた経路」の文字列を含むボタン）、第２ボタンＢ２０（「ボタン位置を基準」の文字列を含むボタン）、第３ボタンＢ２１（「最下位階層」の文字列を含むボタン）が設けられる。また、第２ボタンＢ２０に対し、４つのチェックボックスＣ１、Ｃ２、Ｃ３、Ｃ４が付される。
【０１０１】
第１ボタンＢ１９は、予め定められた画面遷移の経路を辿るように、２以上の画面にわたって透過遷移表示を繰り返させるときに操作される。第３ボタンＢ２１は、階層的に最も深く、下位の画面に到ることができる経路を辿るように、２以上の画面にわたって透過遷移表示を繰り返させるときに操作される。
【０１０２】
また、第２ボタンＢ２０は、遷移後の画面中に配されたボタンのうち、予め定められた位置のボタンが操作されたものとして、２以上の画面にわたって透過遷移表示を繰り返させるときに操作される。尚、チェックボックスＣ１〜Ｃ４によりボタンの位置を選択することができる。
【０１０３】
ここで、図１３、１４に示すように、パネル制御部１０は、自動的に次の遷移先画面を選択するとき、遷移先画面に表示されるボタンのうち、次の遷移先画面はどのボタンが操作されたときに表示される画面かを示すカーソルＣ５を表示部１１に表示させてもよい。言い換えると、パネル制御部１０は、画面の透過遷移において、操作されたものとして扱うボタンをカーソルＣ５によって表示部１１にボタンに対して画像を付すことにより、強調表示させてもよい。尚、図１４の例では、矩形図形をカーソルＣ５として示しているが、矢印、○印、楕円形、記号、文字など他の画像をカーソルＣ５として表示するようにしてもよい。
【０１０４】
また、図１３、１４に示すように、自動的に次の遷移先画面を選択するとき、遷移先画面に表示されるボタンのうち、次の遷移先画面はどのボタンが操作されたときに表示される画面かを示すため、パネル制御部１０は、遷移先画面に対応するボタンの色を、他のボタン（対応しないボタン）と異ならせるようにしてもよい。例えば、パネル制御部１０は、遷移先画面に対応するボタンの色を灰色や青色で、ボタン内の文字は白色で表示部１１に表示させ、遷移先画面に対応するボタンの色を白色で、ボタン内の文字は黒色で表示部１１に表示させる。
【０１０５】
（透過遷移表示での遷移先画面の選択）
次に、図１６〜図２１を用いて、透過遷移表示（透過遷移モード）での遷移先画面の選択について説明する。図１６、図１７は実施形態に係る操作パネル１での第２操作と遷移の中止を説明するための図である。図１８、図１９は、実施形態に係る操作パネル１での選択操作を説明するための図である。図２０、図２１は、実施形態に係る操作パネル１での確定操作と透過遷移表示の再開の一例を説明するための図である。
【０１０６】
本実施形態の操作パネル１では、第１操作がなされた画面を遷移元画面とし、通常の操作で（通常のモードで）第１操作を行ったボタンを操作すると表示される画面を遷移先画面として、透過遷移表示を行うことができる。また、パネル制御部１０に自動的に経路（次の遷移先画面）を選択させて、最下位の階層の画面まで、自動的、連続的に、透過遷移表示を繰り返させることができる。
【０１０７】
しかし、使用者は、このようなパネル制御部１０によって選択される下位階層に向けての遷移の経路上の画面とは異なる画面を確認したい場合がある。また、第１操作でボタンを選択したものの、第１操作を行った画面に配される他のボタンの１つ下の階層の画面を確認したい場合もある。
【０１０８】
そこで、本実施形態の操作パネル１では、透過遷移表示中に、第２操作、選択操作、確定操作を行うことによって、所望のボタンに対応する画面（第１操作がなされたボタンに対応する画面や、自動的に選択される画面とは異なる画面）を遷移先画面として新たに選択し、透過遷移表示を行わせることができる。
【０１０９】
〈第２操作〉
そこで、図１６を用いて、まず第２操作について説明する。図１６の最上段の図は、ユーザー管理画面５２（図６参照）のゲスト認可ボタンＢ５（「ゲスト認可設定」の文字列に付随、対応し、「変更」の文字列を含むボタン）に対して、第１操作がなされた例を示している。
【０１１０】
そして、図１６の中段の図は、パネル制御部１０が、表示部１１に透過遷移モードでの遷移を開始させ、ユーザー管理画面５２を遷移元画面とし、ゲスト認可ボタンＢ５に対応するゲスト認可設定画面５３（図７参照）を遷移先画面として、透過遷移表示を表示部１１に行わせている状態を示す。また、図１６の中段の図は、遷移中に、第２操作を行った状態を示している。
【０１１１】
ここで、第２操作について説明する。本実施形態のタッチパネル部１２は、２点タッチを第２操作として受け付ける。具体的には、タッチパネル部１２は、第１操作から継続して１点のタッチが続けられている状態で、タッチ位置を追加する操作（第１操作からタッチパネル部１２へのタッチを継続しつつ新たにタッチパネル部１２に対しタッチを行う操作）を第２操作として受け付ける。尚、他のジェスチャー操作が第２操作として受け付けられてもよい。
【０１１２】
そして、図１６の最下段の図は、タッチパネル部１２が第２操作を受け付けたことに基づき、パネル制御部１０は、遷移先画面への透過遷移表示を表示部１１に中止させた状態を示している。図１６の最下段の図に示すように、パネル制御部１０は、透過遷移表示を中止（停止）するとき、遷移先画面の成分を除去し、遷移元画面のみを表示部１１に復活表示させる。尚、パネル制御部１０は、遷移先画面の成分を除去せず、第２操作がなされた時点の画面を維持することにより、表示部１１に透過遷移表示を中止させてもよい。
【０１１３】
次に、図１７を用いて、透過遷移表示の繰り返しの過程（第１操作がなされた画面よりも下の階層の画面）での第２操作について説明する。図１７の最上段の図は、ユーザー管理画面５２（図６参照）のゲスト認可ボタンＢ５（「ゲスト認可設定」の文字列に付随、対応し、「変更」の文字列を含むボタン）に対して第１操作がなされた例を示している。
【０１１４】
そして、図１７の上から２段目の図は、パネル制御部１０が、表示部１１に透過遷移モードでの遷移を開始させ、ユーザー管理画面５２からゲスト認可設定画面５３（図７参照）への透過遷移表示が完了した状態を示す。また、図１７の上から２段目の図は、タッチパネル部１２への少なくとも１点のタッチが続けられていることを示す。
【０１１５】
また、図１７の３段目の図は、自動的な新たな遷移先画面の選択によって、パネル制御部１０が、ゲスト認可設定画面５３を新たな遷移元画面とし、ゲストプロパティ設定画面５４（図８参照）を新たな遷移先画面として、透過遷移表示を表示部１１に行わせている状態を示している。更に、図１７の３段目の図は、タッチパネル部１２が、ゲスト認可設定画面５３からゲストプロパティ設定画面５４への遷移中での、第２操作（２点タッチ）を受け付けたことを示している。
【０１１６】
そして、図１７の最下段の図は、タッチパネル部１２が第２操作を受け付けたことに基づき、パネル制御部１０は、遷移先画面（ゲストプロパティ設定画面５４）への透過遷移表示を表示部１１に中止させた状態を示している。
【０１１７】
このように、パネル制御部１０は、新たな遷移先画面への透過遷移表示中にタッチパネル部１２が第２操作を受け付けたとき、新たな遷移先画面への透過遷移表示を中止する。
【０１１８】
〈選択操作〉
続いて、図１８、図１９を用いて、選択操作について説明する。図１８は、図１６に対応している。又、図１９は、図１７に対応している。
【０１１９】
そして、図１８の最上段の図は、第２操作により透過遷移表示が中止したときの遷移元画面であるユーザー管理画面５２（図６参照）を示す。そして、ユーザー管理画面５２で選択操作を開始する状態を示している。
【０１２０】
また、図１９の最上段の図は、透過遷移表示の繰り返しの過程で（第１操作がなされた画面よりも下の階層の画面で）、第２操作により透過遷移表示を中止させたときの遷移元画面であるゲスト認可設定画面５３（図７参照）を示す。そして、ゲスト認可設定画面５３で選択操作を開始する状態を示している。
【０１２１】
ここで、選択操作について説明する。選択操作は、第２操作に続く操作であって、遷移元画面内のボタンを選択するための操作である。本実施形態のタッチパネル部１２は、第２操作による複数のタッチのうち、少なくとも１つを移動させる操作を選択操作として受け付ける。具体的には、タッチパネル部１２は、第２操作から継続して２点のタッチが続けられている状態で、何れか１点のタッチ位置をタッチしたまま移動させる操作を選択操作として受け付ける。尚、他のジェスチャー操作が選択操作として受け付けられてもよい。
【０１２２】
そして、図１８の中段の図は、パネル制御部１０が、タッチパネル部１２への選択操作がなされたことによって、表示部１１に、選択されている状態のボタンを時計回り方向に、１つ、ずらさせた例を示している。更に、図１８の最下段の図で、パネル制御部１０が、選択を確定するための確定操作がなされていないので、表示部１１に、選択されている状態のボタンを、図１８の中段の図の状態から、時計回り方向に、更に１つ、ずらさせた例を示している。
【０１２３】
また、図１９の中段の図は、パネル制御部１０が、タッチパネル部１２への選択操作がなされたことによって、表示部１１に、選択されている状態のボタンを、ずらした例を示している。更に、図１９の最下段の図は、パネル制御部１０が、選択を確定するための確定操作がなされていないので、表示部１１に、選択されている状態のボタンを、図１９の中段の図の状態から、更にずらした（元に戻した）例を示している。
【０１２４】
尚、図１８、図１９に示すように、選択操作では、キャンセルボタンＢ１３や、戻るボタンＢ１４は、選択されない（選択状態とならない）ようにしてもよい。
【０１２５】
ここで、選択されているボタンを明示するため、パネル制御部１０は、選択操作から（選択操作がなされた後）、確定操作までの間、選択されている状態のボタンに対して強調表示を表示部１１に行わせる。
【０１２６】
具体的に、図１８、図１９の各図に示すように、パネル制御部１０は、選択状態のボタンに対して画像を付すことにより、強調表示を表示部１１に行わせる。具体的に、本実施形態の操作パネル１では、パネル制御部１０は、選択状態のボタンを囲うように、カーソルＣ５を表示部１１に表示させる。尚、図１８、図１９の例では、破線の矩形図形をカーソルＣ５として示しているが、矢印、○印、楕円形、記号、文字など他の画像をカーソルＣ５として表示するようにしてもよい。
【０１２７】
また、図１８、図１９の各図に示すように、パネル制御部１０は、選択状態のボタンの色を、他のボタン（選択されていないボタン）と異ならせる。例えば、パネル制御部１０は、選択されているボタンの色を灰色や青色で、選択されていないボタンの色を白色で（通常通り）表示部１１に表示させる。これらの強調表示によって、使用者は、透過遷移表示が中止している状態の遷移元画面のボタンのうち、何れを選択している状態かを容易に確認することができる。
【０１２８】
ここで、パネル制御部１０は、選択操作後、選択を確定するための確定操作まで、表示部１１に、強調表示を施すボタン（選択状態のボタン）の位置を予め定められた順番に、移動させるようにしてもよい。この場合、移動速度が速すぎると、所望するボタンが選択されている状態で確定操作を行うことができない。そこで、パネル制御部１０は、所定間隔（１〜数秒程度）で、表示部１１に強調表示を施すボタンの位置を予め定められた順番に移動させる。
【０１２９】
また、パネル制御部１０は、選択操作後、確定操作まで、表示部１１に、選択操作での指の移動方向にあわせて移動させて、強調表示を施すボタンの位置を移動させるようにしてもよい。例えば、タッチ位置を上方向に移動させると、強調表示を施すボタン（選択状態のボタン）の位置が、現在選択状態のボタンよりも１つ上に位置するボタンに移動する。下方向、右方向、左方向、斜め方向にタッチ位置が移動したときも、選択状態のボタンに対し、タッチ位置の移動方向に存在するボタンに、選択状態のボタンの位置が移動する。この場合、２点のタッチ位置の何れかを移動させるごとに、パネル制御部１０は、選択状態のボタンの位置を変更する。
【０１３０】
〈確定操作〉
続いて、図２０、図２１を用いて、確定操作について説明する。図２０は、図１６、図１８に対応している。又、図２１は、図１７、図１９に対応している。
【０１３１】
まず、確定操作について説明する。確定操作は、選択操作に続く操作であって、透過遷移表示中止中の画面（遷移元画面）内で選択するボタンを確定する操作である。本実施形態のタッチパネル部１２は、選択操作での多数点のタッチ（２点タッチ）している状態から、タッチパネル部１２に対するタッチ数を減らす操作を確定操作として受け付ける。具体的には、タッチパネル部１２は、選択操作で複数点のタッチが続けられている状態で、タッチ位置を１つ減らす操作（少なくとも１つ、タッチを離す操作）を確定操作として受け付ける。尚、他のジェスチャー操作が確定操作として受け付けられてもよい。
【０１３２】
そして、図２０の最上段の図は、ユーザー管理画面５２（図６参照）で、選択操作によりユーザーリストボタンＢ３（「ローカルユーザーリスト」の文字列に付随、対応し、「登録・編集」の文字列を含むボタン）を選択した状態で、確定操作を行った状態を示す。
【０１３３】
また、図２１の最上段の図は、図１５に示す場合（自動的に経路が選択された場合）とは異なり、ゲスト認可設定画面５３（図７参照）で、選択操作によりゲスト認可可否ボタンＢ６（「ゲスト認可」の文字列に付随、対応し、「変更」の文字列を含むボタン）を選択した状態で、確定操作を行った状態を示す。
【０１３４】
そして、図２０の中段の図は、タッチパネル部１２への確定操作がなされたことによって、ユーザー管理画面５２を遷移元画面とし、選択が確定されたボタン（ユーザーリストボタンＢ３）に対応する画面（登録・編集画面５７、図１１参照）を遷移先画面として、透過遷移表示を再開させた状態を示す。言い換えると、パネル制御部１０は、選択操作に続いてタッチパネル部１２が予め定められた確定操作を受け付けたとき、確定操作のときに選択されていたボタンに対応する画面（確定操作がなされた時点に強調表示されていたボタンに対応する画面）を遷移先画面として、透過遷移表示を再開する。
【０１３５】
図２０の最下段の図は、ユーザー管理画面５２から登録・編集画面５７への透過遷移表示が完了した状態を示す。このように、第２操作、選択操作、確定操作を行うことによって、透過遷移モードで、図１５に例示したような経路（自動的に選択された経路）とは異なる経路に配された画面を確認することができる。
【０１３６】
また、図２１の中段の図は、透過遷移表示の繰り返しの過程で（第１操作がなされた画面よりも下の階層の画面で）、タッチパネル部１２への確定操作がなされたことによって、ゲスト認可設定画面５３を遷移元画面とし、選択が確定されたボタン（ゲスト認可可否ボタンＢ６）に対応する画面（ゲスト認可可否設定画面５８、図１２参照）を遷移先画面として、透過遷移表示を再開させた状態を示す。言い換えると、パネル制御部１０は、タッチパネル部１２が第２操作に続いて遷移元画面内のボタンを選択するための選択操作と、選択操作に続いてタッチパネル部１２が予め定められた確定操作を受け付けたとき、確定操作のときに選択されていたボタンに対応する画面（確定操作がなされた時点に強調表示されていたボタンに対応する画面）を新たな遷移先画面として、透過遷移表示を再開する。
【０１３７】
図２１の最下段の図は、ゲスト認可設定画面５３からゲスト認可可否設定画面５８への透過遷移表示が完了した状態を示す。このように、最下位の階層に到達するまで、透過遷移表示が繰り返される途中でも、第２操作、選択操作、確定操作を行うことによって、透過遷移モードで、図１５に例示したような経路（自動的に選択された経路）とは異なる経路に配された画面を確認することができる。
【０１３８】
（最下層に到達したときの設定値の設定）
次に、図２１を用いて、設定値を設定する画面に到達したときの設定値の設定について説明する。
【０１３９】
図２１の最下段の画面は、階層的に最下層の画面（この画面よりも下の階層がない画面）である。そして、図２１の最下段の画面は、ゲスト認可可否設定画面５８であって、ゲストの複合機１００の使用を認めるか否かを設定値として設定できる画面である。
【０１４０】
ここで、タッチパネル部１２は、透過遷移表示が続けられることにより、最下層の画面であって、設定値を設定する画面に到達した状態のとき、表示されている画面で設定値を設定するための予め定められた設定値設定操作を受け付ける。
【０１４１】
本実施形態の操作パネル１では、タッチパネル部１２は、最下層の画面で、いずれかの点がタッチされた状態で（透過遷移モードが継続している状態で）、別途、設定値を設定するための画面（最下層の画面）に配された、設定値を設定するためのボタン（図２１の例では、認可ボタンＢ１７、不認可ボタンＢ１８）の表示領域をタッチした後、画面内に配されたＯＫボタンＢ１２の表示領域をタッチする操作を設定値設定操作として受け付ける。そして、透過遷移モードで、タッチパネル部１２の出力に基づき設定値設定操作がなされたと認識すると、パネル制御部１０は、設定値の設定がなされた認識する。そして、パネル制御部１０は、設定された設定値をメモリー１８や記憶部４２に記憶させて、設定を更新する。
【０１４２】
（上位階層への遷移）
次に、図２２を用いて、実施形態に係る操作パネル１の透過遷移モード中での上位階層への透過遷移表示を説明する。図２２は、実施形態に係る操作パネル１での途中での上位階層への遷移を説明するための図である。
【０１４３】
透過遷移モードでは、下位階層に向けての透過遷移表示が繰り返される。そして、最下層の画面に到達したとき、更に下位階層の画面はない。そのため、透過遷移モードを終了させるための終了操作や上位階層への遷移を行うための逆遷移操作がなされない限り、パネル制御部１０は、最下層の画面を表示部１１に表示させ続ける。
【０１４４】
しかし、透過遷移表示を繰り返す過程で表示された画面（経路中の画面）を再度確認したい場合がある。また、上位階層に戻り、第２操作によって、他の経路の画面を確認したい場合がある。
【０１４５】
そこで、下位階層に向けての透過遷移表示を行っている間、又は、最下層の画面への遷移が完了した状態で、上位階層に戻る指示として予め定められた逆遷移操作をタッチパネル部１２が受け付けたとき、パネル制御部１０は、下位階層に遷移する透過遷移表示を中止し、下位階層に向けての透過遷移表示での画面の切替過程を遡って巻き戻し再生するように、上位階層に向けての透過遷移表示を表示部１１に行わせる（図１７参照）。
【０１４６】
上位階層に向けて透過遷移表示を行うとき、パネル制御部１０は、逆遷移操作が続けられている間、下位階層に向けての透過遷移表示での画面の切替過程を遡って巻き戻すように、上位階層に向けての透過遷移表示を表示部１１に行わせる（巻き戻し再生）。上位階層に向けての透過遷移表示は、下位階層に向けての透過遷移表示の再開操作（逆遷移操作の停止）か、通常モードに戻らない限り、第１操作がなされた画面への遷移が完了するまで、繰り返される（続けられる）。
【０１４７】
ここで、タッチパネル部１２は、タッチパネル部１２を２点タッチし、タッチした２点の両方の距離を狭める、又は、広げる操作（ピンチインやビンチアウトのようなジェスチャー操作）を逆遷移操作として受け付ける。この逆遷移操作の後、２点タッチが続けられている間、パネル制御部１０は、上位階層に向けての透過遷移表示を表示部１１に行わせる。尚、３点タッチなど、第１操作、第２操作、選択操作、確定操作、終了操作以外の操作が逆遷移操作として受け付けられてもよい。
【０１４８】
具体的に、巻き戻し再生の処理を説明する。下位階層にむけての透過遷移表示を行っている途中である状態で逆遷移操作がなされたとき、パネル制御部１０は、下位階層に遷移する透過遷移表示を中止させる。そして、パネル制御部１０は、下位階層に向けての透過遷移表示での遷移先画面を逆遷移元画面とし、下位階層に向けての透過遷移表示での遷移元画面を逆遷移先画面とする。そして、パネル制御部１０は、上位階層方向への逆遷移元画面を時間の経過とともに次第に消しつつ、時間の経過とともに、逆遷移先画面の表示割合を増やす透過遷移表示を表示部１１に行わせる。
【０１４９】
一方、下位階層への透過遷移表示で、最下層の画面への遷移が完了しているとき、及び、遷移先画面への透過が完了した後、次の透過遷移表示を開始していない状態で逆遷移操作がなされたとき、パネル制御部１０は、現在表示している画面を逆遷移元画面とし、現在表示している画面のひとつ上の階層の画面を逆遷移先画面として、上位階層に向けての透過遷移表示を表示部１１に行わせる。
【０１５０】
上位階層に向けての透過遷移表示でも、パネル制御部１０は、周期的に（一定間隔で）逆遷移元画面からの逆遷移先画面の画素への置き換えを所定回数にわたって行うなどして、段階的に逆遷移元画面に重なるように（浮いてくるように）、逆遷移先画面を表示させてゆく。そして、パネル制御部１０は、最終的に逆遷移元画面への切り替え（逆遷移元画面への１００％の透過）を表示部１１に完了させる。言い換えると、パネル制御部１０は、遷移の開始時点から、一定周期で、逆遷移元画面内の画素を一定数、逆遷移先画面の画素に置き換える処理を所定回数、逆遷移先画面の画素に全て置き換えられるまで繰り返す。尚、所定回数（遷移開始から完了までのステップ数）は、適宜定めることができる（例えば、十数回〜１００回など）。
【０１５１】
一定数の画素の置き換えを所定回数、繰り返すことで、逆遷移元画面が段階的に（次第に）消えて行き、逆遷移先画面が段階的に（次第に）現れるような透過的な（アニメーション的な）表示する画面の切替を行うことができる。尚、上位階層に向けての透過遷移表示でも、置き換え処理と次の置き換え処理の間隔（画素の置き換え処理の周期）は、タッチパネル部１２に対する入力によって、予め定められるようにしてもよい。
【０１５２】
そして、下位階層に向けての透過遷移表示を再開するための操作（再開操作）をタッチパネル部１２が受け付けたとき、パネル制御部１０は、下位階層に向けての透過遷移表示を表示部１１に再開させる。尚、タッチパネル部１２は、２点タッチのうち１点のタッチを解除する操作や、タッチした２点の距離を狭める又は広げる操作を逆遷移操作とするとき、逆遷移操作とは逆方向に、タッチした２点の両方の位置を変化させる操作を透過遷移表示を再開するための操作として受け付ける。尚、他のジェスチャー操作が再開操作として受け付けられてもよい。
【０１５３】
このとき、パネル制御部１０は、逆遷移先画面を遷移元画面とし、逆遷移元画面を遷移先画面として、下位階層に向けての透過遷移表示を再開する。そして、再開した下位階層に向けての透過遷移中に、第２操作、選択操作、確定操作がなされると、パネル制御部１０は、透過遷移表示を中止し、遷移元画面内で選択が確定されたボタンに対応する画面に向けて、透過遷移表示を行う。これにより、先の下位階層に向けての透過遷移表示とは異なる経路の画面を表示部１１に表示させることができる。
【０１５４】
（透過遷移モードの終了）
次に、透過遷移モード（透過遷移表示）の終了について説明する。
【０１５５】
タッチパネル部１２が予め定められた終了操作を受け付けたとき、パネル制御部１０は、透過遷移モード（下位階層又は上位階層に向けての透過遷移表示）を表示部１１に終了させる。
【０１５６】
ここで、終了操作は、適宜定めることができる。本実施形態の操作パネル１では、タッチパネル部１２から全ての指を離す操作（全タッチの解除）が終了操作として扱われる。タッチパネル部１２は、全てのタッチの解除を認識する。タッチパネル部１２の出力に基づき、パネル制御部１０は、何れの位置もタッチされなくなったことを認識する（終了操作がなされたと認識する）。尚、終了操作は、上記の例に限られず、タッチ位置を特定方向に動かす操作や、３点タッチ操作など、適宜定めることができる。
【０１５７】
終了操作がなされると、パネル制御部１０は、透過遷移表示を表示部１１に終了させる。言い換えると、操作パネル１（表示部１１、タッチパネル部１２）は、通常モードに戻り、何れかのボタンを操作しなければ、画面を切り替えない状態に戻る。
【０１５８】
そして、終了操作がなされたとき（透過遷移モードが終了したとき）、パネル制御部１０は、第１操作が初めてなされた画面（透過遷移表示を開始した画面）を表示するようにしてもよい。これにより、複数階層分、遷移していても、いきなりもとの階層の画面を表示させることができる。
【０１５９】
また、終了操作がなされたとき（透過遷移モードが終了したとき）、パネル制御部１０は、現在の遷移元画面（逆遷移先画面、上位階層側の画面）、又は、現在の遷移先画面（逆遷移元画面、下位階層側の画面）のみを表示部１１に表示させて、透過遷移表示を終了するようにしてもよい。このようにすれば、すでに複数階層分、画面が切り替えられていても、第１操作が初めてなされた画面から異なる階層の画面に飛ぶことができる。尚、遷移元画面と遷移先画面（逆遷移元画面と逆遷移元画面）のうち、終了操作がなされたときに表示している割合が大きい方の画面を表示させればよい。
【０１６０】
ここで、図１５に示すように、終了操作がなされたとき（透過遷移表示を終了したとき）に表示させる画面を、透過遷移設定画面５９において設定できるようにしてもよい。この設定のため、透過遷移設定画面５９に、第４ボタンＢ２２（「最初の画面に戻る」の文字列を含むボタン）と第５ボタンＢ２３（「遷移した画面に留まる」の文字列を含むボタン）が配される。第４ボタンＢ２２は、終了操作がなされたとき、透過遷移表示を開始した画面を表示させるときに操作される。第５ボタンＢ２３は、終了操作がなされたとき、現在の遷移元画面、又は、現在の遷移先画面を表示部１１に表示させるときに操作される。
【０１６１】
（透過遷移表示の流れ）
次に、図２３、図２４を用いて、実施形態に係る操作パネル１での透過遷移表示の流れを説明する。図２３は、実施形態に係る操作パネル１での下位階層に向けての透過遷移表示の流れの一例を示すフローチャートである。図２４は、実施形態に係る操作パネル１での上位階層に向けての透過遷移表示の流れの一例を示すフローチャートである。
【０１６２】
本実施形態の操作パネル１では、透過遷移モードになると、上位階層、下位階層の両方に向けて透過遷移させることができ、逆遷移操作の有無により遷移方向を切り替えることができる。そこで、まず図２３を用いて、下位階層に向けての透過遷移表示の流れを説明する。
【０１６３】
〈下位階層に向けての透過遷移表示〉
図２３のスタートはタッチパネル部１２の出力に基づき、画面内の何れかの表示位置に対し、第１操作（長押し操作）がなされたとパネル制御部１０が認識した時点である。言い換えると、下位階層に向けての透過遷移表示を開始する条件が満たされたときである。
【０１６４】
まず、パネル制御部１０は、下位階層に向けて、遷移元画面から遷移先画面への透過的な遷移(切り替え)表示を開始させる（ステップ♯１）。続いて、パネル制御部１０は、終了操作（全ての指をタッチパネル部１２から離す操作、透過遷移モードを終了させるための操作）がなされたか否かを確認する（ステップ♯２）。
【０１６５】
もし、終了操作がなされたとき（ステップ♯２のＹｅｓ）、パネル制御部１０は、表示部１１に透過遷移表示（透過遷移モード）を終了させ、通常の入力状態に戻す（ステップ♯３）。そして、パネル制御部１０は、予めなされた透過遷移設定画面５９の設定に基づいた所定の画面（透過遷移表示を開始した画面、現在の遷移元画面、又は、現在の遷移先画面）を表示させる（ステップ♯４）。そして、本フローは終了する。
【０１６６】
一方、終了操作がなされていないとき（ステップ♯２のＮｏ）、タッチパネル部１２の出力に基づき、パネル制御部１０は、第２操作がなされたか否かを確認する（ステップ♯５）。第２操作がなされたとき（ステップ♯５のＹｅｓ）、パネル制御部１０は、透過遷移表示を中止させる（ステップ♯６）。
【０１６７】
更に、パネル制御部１０は、タッチパネル部１２の出力に基づき、選択操作、確定操作によって、選択されたボタンを認識する（ステップ♯７）。続いて、パネル制御部１０は、選択されたボタンに対応する画面への透過遷移表示を表示部１１に再開させる（ステップ♯８）。
【０１６８】
ステップ♯８の後、及び、第２操作がないとき（ステップ♯５のＮｏ）、パネル制御部１０は、遷移先画面への遷移が完了したか（画面の画素が全て遷移先画面の画素に置き換えられたか）を確認する（ステップ♯９）。
【０１６９】
遷移が完了していなければ（ステップ♯９のＮｏ）、フローは、ステップ♯２に戻る。一方、遷移が完了したのであれば（ステップ♯９のＹｅｓ）、パネル制御部１０は、最下層の画面に到達したか否かを確認する（ステップ♯１０）。透過遷移によって、最下層の画面まで到達しているとき（ステップ♯１０のＹｅｓ）、新たな遷移先画面はないので、パネル制御部１０は、逆遷移操作又は終了操作があるまで、最下層の画面を表示部１１に表示させ続ける（ステップ♯１０ａ→エンド）。上位階層に向けての遷移の指示（逆遷移操作）がなされたとき、図２４に示すフローが開始される。
【０１７０】
一方、最下層の画面に到達していないとき（ステップ♯１０のＮｏ）、パネル制御部１０は、遷移が完了した遷移先画面を新たな遷移元画面とし、新たな遷移元画面の１つ下の階層の画面を遷移先画面として、２回目以降の透過遷移表示を表示部１１に行わせる（ステップ♯１０ｂ）。
【０１７１】
〈上位階層に向けての透過遷移表示〉
次に、図２４を用いて、上位階層に向けての透過遷移表示の流れを説明する。図２４のスタートは、タッチパネル部１２の出力に基づき、パネル制御部１０が、逆遷移操作がなされたこと（上位階層に向けての透過遷移表示を行う指示が入力されたこと）を認識した時点である。言い換えると、上位階層に向けての透過遷移表示を開始する条件が満たされたときである。
【０１７２】
まず、逆遷移操作がなされると、パネル制御部１０は、下位階層に向けての透過遷移表示を一時停止させる（ステップ♯１１）。そして、パネル制御部１０は、上位階層に向けて、逆方向の透過遷移表示を表示部１１に行わせる（ステップ♯１２）。
【０１７３】
そして、パネル制御部１０は、終了操作（全ての指をタッチパネル部１２から離す操作、透過遷移モードを終了させるための操作）がなされたか否かを確認する（ステップ♯１３）。もし、終了操作がなされたとき（ステップ♯１３のＹｅｓ）、パネル制御部１０は、表示部１１に透過遷移表示（透過遷移モード）を終了させ、通常の入力状態に戻す（ステップ♯１４）。そして、パネル制御部１０は、予めなされた透過遷移設定画面５９の設定に基づいた所定の画面（透過遷移表示を開始した画面、現在の遷移元画面、又は、現在の遷移先画面）を表示させる（ステップ♯１５）。そして、本フローは終了する。
【０１７４】
一方、終了操作がなされていないとき（ステップ♯１３のＮｏ）、パネル制御部１０は、上位階層に向けての透過遷移表示において、第１操作がなされた画面までの遷移が完了したか否かを確認する（ステップ♯１６）。
【０１７５】
上位階層に向けての透過遷移の繰り返しによって、第１操作がなされた画面まで到達しているとき（ステップ♯１６のＹｅｓ）、新たな逆遷移元画面はないので、パネル制御部１０は、再開操作（逆遷移操作の解除、下位階層に向けての透過遷移表示の再開指示）、又は、終了操作があるまで、第１操作がなされた画面を表示部１１に表示させ続ける（ステップ♯１７→エンド）。もし、再開操作がなされると、図２３に示すフローが開始される。
【０１７６】
一方、第１操作がなされた画面まで到達していないとき（ステップ♯１６のＮｏ）、パネル制御部１０は、タッチパネル部１２の出力に基づき、逆遷移操作が継続されているか否かを確認する（ステップ♯１８）。もし継続されていれば（ステップ♯１８のＹｅｓ）、パネル制御部１０は、逆方向の透過遷移表示を表示部１１に引き続き行わせる（ステップ♯１９）。上位階層方向への透過遷移表示を続ける場合において、逆遷移先画面への遷移が完了したとき、パネル制御部１０は、完了した逆遷移先画面を新たな逆遷移元画面とし、新たな逆遷移元画面に対応し、新たな逆遷移元画面よりも１つ上位の階層の画面を新たな逆遷移先画面として、上位階層に向けての透過遷移表示を表示部１１に行わせる。
【０１７７】
一方、逆遷移操作が解除されれば（ステップ♯１８のＮｏ）、本フローは、終了する（エンド）。全てのタッチが解除されていれば、操作パネル１は通常モードに戻る。また、１点タッチが続けられていれば、下位階層に向けての透過遷移表示が再開され、図２３のフローが行われる。
【０１７８】
次に、上記の実施形態の変形例を説明する。
【０１７９】
（変形例１）
上記の実施形態では、遷移元画面から遷移先画面への遷移が完了した時点（遷移元画面の透過率が１００％となった時点）で、タッチパネル部１２へのいずれかの位置へのタッチが続いていれば、直ちに、遷移が完了した遷移先画面を新たな遷移元画面とし、新たな遷移元画面よりも１つ下位の階層の画面を遷移先画面として、透過遷移表示を開始する例を説明した。
【０１８０】
しかし、遷移元画面から遷移先画面への遷移が完了した時点から、新たな遷移元画面から遷移先画面への透過遷移表示を開始するまでに、待ち時間を設けるようにしてもよい。待ち時間は、遷移が完了した画面の内容を確認できる程度であればよく、１〜１０秒程度とすることができる。そして、画面への遷移完了から待ち時間が経過すると、パネル制御部１０は、表示部１１に透過遷移表示を再開させる。この待ち時間中に、第２操作がなされると、操作されたボタンに対応する画面が、待ち時間終了後に開始される次の透過遷移表示での新たな遷移先画面とされる。
【０１８１】
待ち時間を設ける場合、待ち時間中に逆遷移操作がなされると、パネル制御部１０は、現在表示中の画面を逆遷移元画面とし、現在表示中の画面に対応し、現在表示中の画面よりも１つ上位の階層の画面を逆遷移先画面として、上位階層に向けて透過遷移表示を行うようにしてもよい。あるいは、逆遷移操作がなされたとき、アニメーション的な表示（透過遷移表示）を行なわず、パネル制御部１０は、表示部１１が表示する画面を、現在表示している画面（待機中の画面）よりも１階層上位の画面に切り替えさせてもよい。
【０１８２】
また、待ち時間を設ける場合、待ち時間中に終了操作がなされたとき、パネル制御部１０は、表示部１１に、現在の画面（待ち時間中に表示されている画面）のみを表示部１１に表示させるようにしてもよい。このように、待ち時間を設けることで、使用者は遷移した画面を十分に確認することができる。また、透過遷移表示による画面の切り替えがどのような経路でなされているかがわかりやすくなる。
【０１８３】
（変形例２）
上記の実施形態では、逆遷移操作に基づき、上位階層方向への逆遷移元画面から逆遷移先画面への遷移が完了した時点（逆遷移元画面の透過率が１００％となった時点）で、逆遷移操作が続いていれば、続いて、遷移が完了した逆遷移先画面を新たな逆遷移元画面とし、新たな逆遷移元画面に対応し、新たな逆遷移元画面よりも１つ上の階層の画面を逆遷移先画面として、上位階層方向への透過遷移表示を開始する例を説明した。
【０１８４】
しかし、逆遷移操作が続けられているために、逆遷移元画面から逆遷移先画面への遷移が完了した時点から、新たな逆遷移元画面から逆遷移先画面への透過遷移表示を開始するまでに、待ち時間を設けるようにしてもよい。待ち時間は、逆方向（上位階層方向）への遷移が完了した画面の内容を確認できる程度であればよく、１〜１０秒程度とすることができる。そして、逆遷移操作が続けられていれば、画面への遷移完了から待ち時間が経過した後に、パネル制御部１０は、表示部１１に上位階層方向への透過遷移表示を再開させるようにしてもよい。
【０１８５】
また、上位階層方向への透過遷移表示の場合にも、待ち時間を設ける場合、待ち時間中に、終了操作がなされることが考えられる。待ち時間中に終了操作がなされると、パネル制御部１０は、表示部１１に、現在の画面（待ち時間中に表示されている画面）のみを表示させるようにしてもよい。
【０１８６】
これにより、逆遷移操作により上位階層への透過遷移表示がなされている状態のとき、待ち時間を設けることで、使用者は、どのような画面が表示されていたかを十分に確認することができる。また、上位階層への透過遷移表示のときにも、待ち時間が設けられるので、使用者は、透過遷移表示による画面の切り替えがどのような経路でなされたか理解しやすい。
【０１８７】
このようにして、実施形態に係る表示入力装置（操作パネル１）は、画面内にボタンを表示し、通常モードでは、操作されたボタンに応じて、表示中の画面から、下位階層の画面と上位階層の画面との何れか一方に、表示する画面を切り替える表示部１１と、表示部１１の画面に対する操作を受け付け、表示部１１に表示されたボタンに対する操作を受け付けるためのタッチパネル部１２と、を含む。そして、タッチパネル部１２が予め定められた第１操作を受け付けたとき、表示部１１は、透過遷移モードでの表示を開始し、透過遷移モードでは、現在表示中の画面を遷移元画面として、遷移元画面を時間の経過とともに次第に消して行き、遷移元画面よりもひとつ下の階層に位置する遷移先画面の表示割合を時間の経過とともに増やして、表示する画面を遷移させていく透過遷移表示を行い、遷移元画面の全透過により遷移が完了したとき、遷移が完了した遷移先画面を新たな遷移元画面とし、新たな遷移元画面に配された何れかのボタンに対応する画面であって、新たな遷移元画面よりもひとつ下の階層に位置する画面を新たな遷移先画面として、透過遷移表示を続け、遷移先画面への透過遷移表示中にタッチパネル部１２が予め定められた第２操作を受け付けたとき、遷移先画面への透過遷移表示を中止し、タッチパネル部１２が第２操作に続いて遷移元画面内のボタンを選択するための選択操作と、選択操作に続いてタッチパネル部１２が予め定められた確定操作を受け付けたとき、確定操作のときに選択されているボタンに対応する画面を遷移先画面として、透過遷移表示を再開する。
【０１８８】
これにより、第１操作を行えば透過遷移モードとなり、１つ（１回）の操作で複数の画面にわたる自動的、連続的な遷移を表示部１１に行わせることができる。また、１回目の透過遷移表示での画面遷移中に、簡易な一連の操作（第２操作、選択操作、確定操作）を行うだけで、別の画面への遷移（次の遷移先画面）を選択することができる。例えば、１回目の透過遷移表示での遷移先画面が意図する画面でないとき、直ちに、遷移の経路を変更することができる。このように、使用者は、下位階層に向けての連続的、自動的な画面を遷移させる表示での経路（過程）を定められる。
【０１８９】
従って、第１操作を行い、遷移先画面への遷移中に所望の画面でないことに気付いたとき、容易に、異なる下位階層の画面に遷移先を切り替えることができる。遷移先の切り替えには、付加的、簡易な一連のジェスチャー操作（第２操作、選択操作、確定操作）を行えばよい。そして、選択操作で選択したボタンに対応する画面（選択されたボタンと関連付けられた画面、通常モードでのボタン操作による切り替え後の画面）を、下位階層の画面として、次に遷移表示させることができる。このため、下位階層にどのような画面があるかを、使用者の意図に基づき、自由、容易に確認することができる。また、どの階層にどのような画面が配されているかを確認することもできる。また、通常モードでは、ある画面から、操作されたボタンに対応する画面に一時に切り替えられる（透過しないで切り替えられる）のに対し、透過遷移モードでは、次の階層（下位階層）の画面が、次第に表示されるような（浮き上がってくるような）、通常とは異なる態様で画面の遷移がなされるので、通常モードと、透過遷移モード（透過遷移表示）を差別化することができる。
【０１９０】
また、表示部１１は、新たな遷移元画面から新たな遷移先画面に向けて、透過遷移表示を続けるとき、新たな遷移先画面への透過遷移表示中にタッチパネル部１２が第２操作を受け付けたとき、新たな遷移先画面への透過遷移表示を中止し、タッチパネル部１２が第２操作に続いて遷移元画面内のボタンを選択するための選択操作と、選択操作に続いてタッチパネル部１２が予め定められた確定操作を受け付けたとき、確定操作のときに選択されているボタンに対応する画面を新たな遷移先画面として、透過遷移表示を再開する。
【０１９１】
これにより、元の階層から１つ下の階層に遷移して以降の透過遷移表示でも（繰り返されている透過遷移表示の途中でも）、簡易な第２操作によって、使用者は、容易に次の遷移先画面（遷移経路）を選択することができ、透過遷移モードでの下位階層に向かう経路を容易に定めることができる。
【０１９２】
また、  タッチパネル部１２は、通常モードで、画面内に表示された何れかのボタンを長押しする操作を第１操作として受け付け、表示部１１は、第１操作がなされた画面を最初の遷移元画面とし、第１操作がなされたボタンに対応する画面を最初の遷移先画面として、透過遷移表示を行い、タッチパネル部１２は、第１操作からタッチパネル部１２へのタッチを継続しつつ新たにタッチパネル部１２に対しタッチを行う操作を第２操作として受け付け、第２操作による複数のタッチのうち、少なくとも１つを移動させる操作を選択操作として受け付け、タッチパネル部１２に対するタッチ数を減らす操作を確定操作として受け付ける。
【０１９３】
これにより、簡単な操作（第１操作）を一回行うだけで、複数階層にわたって、自動的、連続的な、複数階層にわたる画面の切替を行わせるとともに、第１操作によって最初の透過による遷移先を選択することができる。しかも、第２操作も簡易な操作であり、使用者は、容易に次の遷移先画面（遷移経路）を選択することができ、透過遷移モードでの下位階層に向かう経路を容易に定めることができる。
【０１９４】
また、表示部１１は、選択操作開始から確定操作までの間、選択されている状態のボタンに対して強調表示を行うとともに、強調表示を施すボタンの位置を予め定められた順番に、又は、選択操作での指の移動方向にあわせて移動させ、確定操作がなされた時点に強調表示されていたボタンに対応する画面を遷移先画面として透過遷移表示を再開する。
【０１９５】
これにより、使用者は、遷移元画面に表示されるボタンを選択操作により任意に選択することができる。また、次に表示させたい画面に対応するボタンを容易に選択することができる。
【０１９６】
また、表示部１１は、遷移元画面のうち、選択状態のボタンの色を選択されていないボタンと異ならせる、又は、選択状態のボタンに対して画像を付すことにより、強調表示を行う。これにより、選択されている状態のボタンを容易に認識することができる。
【０１９７】
また、表示部１１は、下位階層に向けての透過遷移表示を行っているとき、又は、最下層の画面への遷移が完了した状態で、上位階層に戻る指示として予め定められた逆遷移操作をタッチパネル部１２が受け付けたとき、下位階層に遷移する透過遷移表示を停止し、下位階層に向けての透過遷移表示での画面の切替過程を遡って巻き戻し再生するように、上位階層に向けての透過遷移表示を行い、予め定められた再開操作をタッチパネル部１２が受け付けたとき、下位階層に向けての透過遷移表示を再開する。
【０１９８】
これにより、下位階層方向だけでなく上位階層方向にも、透過するような連続的な表示変化を行って画面を遷移させることができる。そして、使用者は、遷移により一旦表示された画面を再確認することができる。また、再開された下位階層に向けての透過遷移表示において、第２操作などを行うことで、先の下位階層に向けての透過遷移表示とは異なる経路で、下位階層の画面を表示させることができる。
【０１９９】
タッチパネル部１２が予め定められた終了操作を受け付けたとき、表示部１１は、透過遷移モードを終了して通常のモードに戻り、第１操作が開始された画面を表示するようにしてもよい。これにより、終了操作により透過遷移表示を終了したとき、透過遷移表示開始時の画面に、１又は複数階層飛び越えて、いきなり戻ることができる。
【０２００】
また、タッチパネル部１２が予め定められた終了操作を受け付けたとき、表示部１１は、透過遷移表示を終了して通常のモードに戻り、現在の遷移元画面、又は、現在の遷移先画面を表示するようにしてもよい。これにより、遷移により表示されている画面で通常モードに戻ることができる。
【０２０１】
この構成によれば、第２操作がなされないまま、下位階層に向けての遷移先画面への遷移が完了したとき、表示部１１は、遷移が完了した画面を新たな遷移元画面とし、予め定められた画面遷移の経路を辿るように定められる新たな遷移先画面に向けて次の下位階層への透過遷移表示を自動的に行うようにしてもよい。この場合、使用者は何ら操作することなく、自動的に下位階層の画面を次々に表示させ、画面の内容を確認することができる。また、遷移が完了した画面を遷移元画面とし、遷移が完了した画面中に配されたボタンのうち、予め定められた位置のボタンに対する第２操作がなされたものとして次の下位階層に向けての透過遷移表示を自動的に行うようにしてもよい。この場合、使用者は何ら操作することなく、一定の法則性のもと、自動的に下位階層の画面を次々に表示させ、画面の内容を確認することができる。又は、階層的に最も深く、下位の画面に到ることができる経路を辿るように遷移が完了した画面を新たな遷移元画面として次の下位階層に向けての透過遷移表示を自動的に行うようにしてもよい。これにより、最も深い（最下位の）階層まで、使用者は何ら操作することなく、自動的に下位階層の画面を次々に確認することができる。これらにより、下位階層に向けての透過遷移を自動的、連続的に続けることができる。
【０２０２】
また、画像形成装置（複合機１００）（複合機１００）は上述の操作パネル１（表示入力装置（操作パネル１））を含む。この構成によれば、簡易な一連の操作（第２操作、選択操作、確定操作）を行うだけで、使用者は、下位階層に向けての自動的な画面遷移での階層を辿る経路（過程）を容易に定められる。従って、簡易な操作で、複数階層にまたがって画面の内容を確認できる画像形成装置（複合機１００）を提供することができる。また、どの階層にどのような画面が配されているかを確認することもできる画像形成装置（複合機１００）を提供することができる。
【０２０３】
本発明の実施形態を説明したが、本発明の範囲はこれに限定されるものではなく、発明の主旨を逸脱しない範囲で種々の変更を加えて実施することができる。
【産業上の利用可能性】
【０２０４】
本発明は、表示部とタッチパネル部を有する表示入力装置や、画像形成装置に利用可能である。
【符号の説明】
【０２０５】
１００  複合機（画像形成装置）          １      操作パネル（表示入力装置）
１１    表示部                          １２    タッチパネル部
５１    メインメニュー画面（画面）      ５２    ユーザー管理画面（画面）
５３    ゲスト認可設定画面（画面）      ５４    ゲストプロパティ設定画面（画面）
５５    使用制限設定画面（画面）        ５６    送信制限設定画面（画面）
５７    登録・編集画面（画面）          ５８    ゲスト認可可否設定画面
５９    透過遷移設定画面（画面）
Ｂ１    ユーザー管理ボタン（ボタン）    Ｂ２    認証方式ボタン（ボタン）
Ｂ３    ユーザーリストボタン（ボタン）  Ｂ４    ローカル認可ボタンＢ４（ボタン）
Ｂ５    ゲスト認可ボタン（ボタン）      Ｂ６    ゲスト認可可否ボタン（ボタン）
Ｂ７    ゲストプロパティボタン（ボタン）
Ｂ８    認可情報ボタン（ボタン）        Ｂ９    送信制限ボタン（ボタン）
Ｂ１０  制限実行ボタン（ボタン）        Ｂ１１  制限不実行ボタン（ボタン）
Ｂ１２  ＯＫボタン（ボタン）            Ｂ１３  キャンセルボタン（ボタン）
Ｂ１４  戻るボタン（ボタン）            Ｂ１９  第１ボタン（ボタン）
Ｂ２０  第２ボタン（ボタン）            Ｂ２１  第３ボタン（ボタン）
Ｂ２２  第４ボタン（ボタン）            Ｂ２３  第５ボタン（ボタン）
【図１】
0005896976.tif 000002
【図３】
0005896976.tif 000003
【図４】
0005896976.tif 000004
【図５】
0005896976.tif 000005
【図６】
0005896976.tif 000006
【図７】
0005896976.tif 000007
【図８】
0005896976.tif 000008
【図９】
0005896976.tif 000009
【図１０】
0005896976.tif 000010
【図１１】
0005896976.tif 000011
【図１２】
0005896976.tif 000012
【図２３】
0005896976.tif 000013
【図２４】
0005896976.tif 000014
【図２】
0005896976.tif 000015
【図１３】
0005896976.tif 000016
【図１４】
0005896976.tif 000017
【図１５】
0005896976.tif 000018
【図１６】
0005896976.tif 000019
【図１７】
0005896976.tif 000020
【図１８】
0005896976.tif 000021
【図１９】
0005896976.tif 000022
【図２０】
0005896976.tif 000023
【図２１】
0005896976.tif 000024
【図２２】
0005896976.tif 000025